【手続補正書】
【提出日】平成18年2月13日(2006.2.13)
【手続補正１】
【補正対象書類名】明細書
【補正対象項目名】特許請求の範囲
【補正方法】変更
【補正の内容】
【特許請求の範囲】
【請求項１】  抗ウイルス有効量の少なくとも１種類の式ＩのＮ−置換−１，５−ジデオキシ−１，５−イミノ−Ｄ−グルシトール化合物またはその医薬的に許容できる塩：
【化１】
2002502875.tif 000001
（式中、
Ｒは、鎖長Ｃ7〜Ｃ20を有する直鎖アルキル；主鎖中に鎖長Ｃ3〜Ｃ20を有する分枝鎖アルキル；アルコキシアルキル、アリールアルキル、およびシクロアルキルアルキルよりなる群から選択され、そして
Ｗ、Ｘ、ＹおよびＺは、それぞれ独立して、水素、アルカノイル、アロイル、およびトリフルオロアルカノイルよりなる群から選択される）
および医薬的に許容できるキャリヤー、賦形剤または希釈剤を含む、医薬組成物。
【請求項２】  Ｒが鎖長Ｃ7〜Ｃ20を有する直鎖アルキルであり、かつＷ、Ｘ、ＹおよびＺがそれぞれ水素である、請求項１記載の医薬組成物。
【請求項３】  Ｒがノニルである、請求項２記載の医薬組成物。
【請求項４】  Ｒが鎖長Ｃ7〜Ｃ20を有する直鎖アルキルであり、かつＷ、Ｘ、ＹおよびＺがそれぞれアルカノイルである、請求項１記載の医薬組成物。
【請求項５】  Ｒがノニルである、請求項４記載の医薬組成物。
【請求項６】  アルカノイルがブタノイルである、請求項５記載の医薬組成物。
【請求項７】  Ｎ−置換−１，５−ジデオキシ−１，５−イミノ−Ｄ−グルシトール化合物が下記よりなる群から選択される、請求項１記載の医薬組成物：
Ｎ−（ｎ−ヘプチル）−１，５−ジデオキシ−１，５−イミノ−Ｄ−グルシトール；
Ｎ−（ｎ−オクチル）−１，５−ジデオキシ−１，５−イミノ−Ｄ−グルシトール；
Ｎ−（ｎ−ノニル）−１，５−ジデオキシ−１，５−イミノ−Ｄ−グルシトール；
Ｎ−（ｎ−デシル）−１，５−ジデオキシ−１，５−イミノ−Ｄ−グルシトール；
Ｎ−（ｎ−ウンデシル）−１，５−ジデオキシ−１，５−イミノ−Ｄ−グルシトール；
Ｎ−（ｎ−ドデシル）−１，５−ジデオキシ−１，５−イミノ−Ｄ−グルシトール；
Ｎ−（ｎ−トリデシル）−１，５−ジデオキシ−１，５−イミノ−Ｄ−グルシトール；
Ｎ−（ｎ−テトラデシル）−１，５−ジデオキシ−１，５−イミノ−Ｄ−グルシトール；
Ｎ−（ｎ−ペンタデシル）−１，５−ジデオキシ−１，５−イミノ−Ｄ−グルシトール；
Ｎ−（ｎ−ヘキサデシル）−１，５−ジデオキシ−１，５−イミノ−Ｄ−グルシトール；
Ｎ−（ｎ−ヘプタデシル）−１，５−ジデオキシ−１，５−イミノ−Ｄ−グルシトール；
Ｎ−（ｎ−オクタデシル）−１，５−ジデオキシ−１，５−イミノ−Ｄ−グルシトール；
Ｎ−（ｎ−ノナデシル）−１，５−ジデオキシ−１，５−イミノ−Ｄ−グルシトール；
Ｎ−（ｎ−エイコシル）−１，５−ジデオキシ−１，５−イミノ−Ｄ−グルシトール；
Ｎ−（ｎ−ヘプチル）−１，５−ジデオキシ−１，５−イミノ−Ｄ−グルシトール，テトラブチラート；
Ｎ−（ｎ−オクチル）−１，５−ジデオキシ−１，５−イミノ−Ｄ−グルシトール，テトラブチラート；
Ｎ−（ｎ−ノニル）−１，５−ジデオキシ−１，５−イミノ−Ｄ−グルシトール，テトラブチラート；
Ｎ−（ｎ−デシル）−１，５−ジデオキシ−１，５−イミノ−Ｄ−グルシトール，テトラブチラート；
Ｎ−（ｎ−ウンデシル）−１，５−ジデオキシ−１，５−イミノ−Ｄ−グルシトール，テトラブチラート；
Ｎ−（ｎ−ドデシル）−１，５−ジデオキシ−１，５−イミノ−Ｄ−グルシトール，テトラブチラート；
Ｎ−（ｎ−トリデシル）−１，５−ジデオキシ−１，５−イミノ−Ｄ−グルシトール，テトラブチラート；
Ｎ−（ｎ−テトラデシル）−１，５−ジデオキシ−１，５−イミノ−Ｄ−グルシトール，テトラブチラート；
Ｎ−（ｎ−ペンタデシル）−１，５−ジデオキシ−１，５−イミノ−Ｄ−グルシトール，テトラブチラート；
Ｎ−（ｎ−ヘキサデシル）−１，５−ジデオキシ−１，５−イミノ−Ｄ−グルシトール，テトラブチラート；
Ｎ−（ｎ−ヘプタデシル）−１，５−ジデオキシ−１，５−イミノ−Ｄ−グルシトール，テトラブチラート；
Ｎ−（ｎ−オクタデシル）−１，５−ジデオキシ−１，５−イミノ−Ｄ−グルシトール，テトラブチラート；
Ｎ−（ｎ−ノナデシル）−１，５−ジデオキシ−１，５−イミノ−Ｄ−グルシトール，テトラブチラート；
Ｎ−（ｎ−エイコシル）−１，５−ジデオキシ−１，５−イミノ−Ｄ−グルシトール，テトラブチラート；
Ｎ−（２−エチルヘキシル）−１，５−ジデオキシ−１，５−イミノ−Ｄ−グルシトール；
Ｎ−（４−エチルヘキシル）−１，５−ジデオキシ−１，５−イミノ−Ｄ−グルシトール；
Ｎ−（５−メチルヘキシル）−１，５−ジデオキシ−１，５−イミノ−Ｄ−グルシトール；
Ｎ−（３−プロピルヘキシル）−１，５−ジデオキシ−１，５−イミノ−Ｄ−グルシトール；
Ｎ−（１−ペンチルペンチルヘキシル）−１，５−ジデオキシ−１，５−イミノ−Ｄ−グルシトール；
Ｎ−（１−ブチルブチル）−１，５−ジデオキシ−１，５−イミノ−Ｄ−グルシトール；
Ｎ−（７−メチルオクチル）−１，５−ジデオキシ−１，５−イミノ−Ｄ−グルシトール；
Ｎ−（８−メチルノニル）−１，５−ジデオキシ−１，５−イミノ−Ｄ−グルシトール；
Ｎ−（９−メチルデシル）−１，５−ジデオキシ−１，５−イミノ−Ｄ−グルシトール；
Ｎ−（１０−メチルウンデシル）−１，５−ジデオキシ−１，５−イミノ−Ｄ−グルシトール；
Ｎ−（６−シクロヘキシルヘキシル）−１，５−ジデオキシ−１，５−イミノ−Ｄ−グルシトール；
Ｎ−（４−シクロヘキシルブチル）−１，５−ジデオキシ−１，５−イミノ−Ｄ−グルシトール；
Ｎ−（２−シクロヘキシルエチル）−１，５−ジデオキシ−１，５−イミノ−Ｄ−グルシトール；
Ｎ−（１−シクロヘキシルメチル）−１，５−ジデオキシ−１，５−イミノ−Ｄ−グルシトール；
Ｎ−（１−フェニルメチル）−１，５−ジデオキシ−１，５−イミノ−Ｄ−グルシトール；
Ｎ−（３−フェニルプロピル）−１，５−ジデオキシ−１，５−イミノ−Ｄ−グルシトール；
Ｎ−（３−（４−メチル）−フェニルプロピル）−１，５−ジデオキシ−１，５−イミノ−Ｄ−グルシトール；
Ｎ−（６−フェニルヘキシル）−１，５−ジデオキシ−１，５−イミノ−Ｄ−グルシトール；
Ｎ−（２−エチルヘキシル）−１，５−ジデオキシ−１，５−イミノ−Ｄ−グルシトール，テトラブチラート；
Ｎ−（４−エチルヘキシル）−１，５−ジデオキシ−１，５−イミノ−Ｄ−グルシトール，テトラブチラート；
Ｎ−（５−メチルヘキシル）−１，５−ジデオキシ−１，５−イミノ−Ｄ−グルシトール，テトラブチラート；
Ｎ−（３−プロピルヘキシル）−１，５−ジデオキシ−１，５−イミノ−Ｄ−グルシトール，テトラブチラート；
Ｎ−（１−ペンチルペンチルヘキシル）−１，５−ジデオキシ−１，５−イミノ−Ｄ−グルシトール，テトラブチラート；
Ｎ−（１−ブチルブチル）−１，５−ジデオキシ−１，５−イミノ−Ｄ−グルシトール，テトラブチラート；
Ｎ−（７−メチルオクチル）−１，５−ジデオキシ−１，５−イミノ−Ｄ−グルシトール，テトラブチラート；
Ｎ−（８−メチルノニル）−１，５−ジデオキシ−１，５−イミノ−Ｄ−グルシトール，テトラブチラート；
Ｎ−（９−メチルデシル）−１，５−ジデオキシ−１，５−イミノ−Ｄ−グルシトール，テトラブチラート；
Ｎ−（１０−メチルウンデシル）−１，５−ジデオキシ−１，５−イミノ−Ｄ−グルシトール，テトラブチラート；
Ｎ−（６−シクロヘキシルヘキシル）−１，５−ジデオキシ−１，５−イミノ−Ｄ−グルシトール，テトラブチラート；
Ｎ−（４−シクロヘキシルブチル）−１，５−ジデオキシ−１，５−イミノ−Ｄ−グルシトール，テトラブチラート；
Ｎ−（２−シクロヘキシルエチル）−１，５−ジデオキシ−１，５−イミノ−Ｄ−グルシトール，テトラブチラート；
Ｎ−（１−シクロヘキシルメチル）−１，５−ジデオキシ−１，５−イミノ−Ｄ−グルシトール，テトラブチラート；
Ｎ−（１−フェニルメチル）−１，５−ジデオキシ−１，５−イミノ−Ｄ−グルシトール，テトラブチラート；
Ｎ−（３−フェニルプロピル）−１，５−ジデオキシ−１，５−イミノ−Ｄ−グルシトール，テトラブチラート；
Ｎ−（３−（４−メチル）−フェニルプロピル）−１，５−ジデオキシ−１，５−イミノ−Ｄ−グルシトール，テトラブチラート；
Ｎ−（６−フェニルヘキシル）−１，５−ジデオキシ−１，５−イミノ−Ｄ−グルシトール，テトラブチラート；
Ｎ−（７−オキサ−ｎ−デシル）−１，５−ジデオキシ−１，５−イミノ−Ｄ−グルシトール；
Ｎ−（７−オキサ−ｎ−デシル）−１，５−ジデオキシ−１，５−イミノ−Ｄ−グルシトール，テトラブチラート；
Ｎ−（７−オキサ−ｎ−デシル）−１，５−ジデオキシ−１，５−イミノ−Ｄ−グルシトール，テトラアセテート；
Ｎ−（３−オキサ−ｎ−デシル）−１，５−ジデオキシ−１，５−イミノ−Ｄ−グルシトール；
Ｎ−（９−オキサ−ｎ−デシル）−１，５−ジデオキシ−１，５−イミノ−Ｄ−グルシトール；
Ｎ−（７−オキサ−ｎ−ノニル）−１，５−ジデオキシ−１，５−イミノ−Ｄ−グルシトール；
Ｎ−（３−オキサ−ｎ−ノニル）−１，５−ジデオキシ−１，５−イミノ−Ｄ−グルシトール，テトラアセテート；
Ｎ−（３−オキサ−ｎ−ノニル）−１，５−ジデオキシ−１，５−イミノ−Ｄ−グルシトール；および
Ｎ−（７，１０，１３−トリオキサ−ｎ−テトラデシル）−１，５−ジデオキシ−１，５−イミノ−Ｄ−グルシトール。
【請求項８】  医薬的に許容できる塩が、酢酸塩、アジピン酸塩、アルギン酸塩、クエン酸塩、アスパラギン酸塩、安息香酸塩、ベンゼンスルホン酸塩、硫酸水素塩、酪酸塩、ショウノウ酸塩、ショウノウスルホン酸塩、ジグルコン酸塩、シクロペンタンプロピオン酸塩、ドデシル硫酸塩、エタンスルホン酸塩、グルコヘプタン酸塩、グリセロリン酸塩、ヘミ硫酸塩、ヘプタン酸塩、ヘキサン酸塩、フマル酸塩、塩酸塩、臭化水素酸塩、ヨウ化水素酸塩、２−ヒドロキシ−エタンスルホン酸塩、乳酸塩、マレイン酸塩、メタンスルホン酸塩、ニコチン酸塩、２−ナフタレンスルホン酸塩、シュウ酸塩、パルモエート、ペクチナート、過硫酸塩、３−フェニルプロピオン酸塩、ピクリン酸塩、ピバル酸塩、プロピオン酸塩、コハク酸塩、酒石酸塩、チオシアン酸塩、トシラート、メシラート、およびウンデカン酸塩よりなる群から選択される、請求項１記載の医薬組成物。
【請求項９】  肝炎ウイルス感染症を処置するために用いる請求項１〜８のいずれか１項に記載の医薬組成物。
【請求項１０】  抗ウイルス有効量の少なくとも１種類の式ＩのＮ−置換−１，５−ジデオキシ−１，５−イミノ−Ｄ−グルシトール化合物またはその医薬的に許容できる塩：
【化２】
2002502875.tif 000002
（式中、
Ｒは、鎖長Ｃ7〜Ｃ20を有する直鎖アルキル；主鎖中に鎖長Ｃ3〜Ｃ20を有する分枝鎖アルキル；アルコキシアルキル、アリールアルキル、およびシクロアルキルアルキルよりなる群から選択され、そして
Ｗ、Ｘ、ＹおよびＺは、それぞれ独立して、水素、アルカノイル、アロイル、およびトリフルオロアルカノイルよりなる群から選択される）
および医薬的に許容できるキャリヤー、希釈剤または賦形剤から本質的に構成される医薬組成物。
【請求項１１】  Ｒが鎖長Ｃ7〜Ｃ20を有する直鎖アルキルであり、かつＷ、Ｘ、ＹおよびＺがそれぞれ水素である、請求項１０記載の医薬組成物。
【請求項１２】  Ｒがノニルである、請求項１１記載の医薬組成物。
【請求項１３】  Ｒが鎖長Ｃ7〜Ｃ20を有する直鎖アルキルであり、かつＷ、Ｘ、ＹおよびＺがそれぞれアルカノイルである、請求項１０記載の医薬組成物。
【請求項１４】  Ｒがノニルである、請求項１３記載の医薬組成物。
【請求項１５】  アルカノイルがブタノイルである、請求項１４記載の医薬組成物。
【請求項１６】  Ｎ−置換−１，５−ジデオキシ−１，５−イミノ−Ｄ−グルシトール化合物が下記よりなる群から選択される、請求項１０記載の医薬組成物：
Ｎ−（ｎ−ヘプチル）−１，５−ジデオキシ−１，５−イミノ−Ｄ−グルシトール；
Ｎ−（ｎ−オクチル）−１，５−ジデオキシ−１，５−イミノ−Ｄ−グルシトール；
Ｎ−（ｎ−ノニル）−１，５−ジデオキシ−１，５−イミノ−Ｄ−グルシトール；
Ｎ−（ｎ−デシル）−１，５−ジデオキシ−１，５−イミノ−Ｄ−グルシトール；
Ｎ−（ｎ−ウンデシル）−１，５−ジデオキシ−１，５−イミノ−Ｄ−グルシトール；
Ｎ−（ｎ−ドデシル）−１，５−ジデオキシ−１，５−イミノ−Ｄ−グルシトール；
Ｎ−（ｎ−トリデシル）−１，５−ジデオキシ−１，５−イミノ−Ｄ−グルシトール；
Ｎ−（ｎ−テトラデシル）−１，５−ジデオキシ−１，５−イミノ−Ｄ−グルシトール；
Ｎ−（ｎ−ペンタデシル）−１，５−ジデオキシ−１，５−イミノ−Ｄ−グルシトール；
Ｎ−（ｎ−ヘキサデシル）−１，５−ジデオキシ−１，５−イミノ−Ｄ−グルシトール；
Ｎ−（ｎ−ヘプタデシル）−１，５−ジデオキシ−１，５−イミノ−Ｄ−グルシトール；
Ｎ−（ｎ−オクタデシル）−１，５−ジデオキシ−１，５−イミノ−Ｄ−グルシトール；
Ｎ−（ｎ−ノナデシル）−１，５−ジデオキシ−１，５−イミノ−Ｄ−グルシトール；
Ｎ−（ｎ−エイコシル）−１，５−ジデオキシ−１，５−イミノ−Ｄ−グルシトール；
Ｎ−（ｎ−ヘプチル）−１，５−ジデオキシ−１，５−イミノ−Ｄ−グルシトール，テトラブチラート；
Ｎ−（ｎ−オクチル）−１，５−ジデオキシ−１，５−イミノ−Ｄ−グルシトール，テトラブチラート；
Ｎ−（ｎ−ノニル）−１，５−ジデオキシ−１，５−イミノ−Ｄ−グルシトール，テトラブチラート；
Ｎ−（ｎ−デシル）−１，５−ジデオキシ−１，５−イミノ−Ｄ−グルシトール，テトラブチラート；
Ｎ−（ｎ−ウンデシル）−１，５−ジデオキシ−１，５−イミノ−Ｄ−グルシトール，テトラブチラート；
Ｎ−（ｎ−ドデシル）−１，５−ジデオキシ−１，５−イミノ−Ｄ−グルシトール，テトラブチラート；
Ｎ−（ｎ−トリデシル）−１，５−ジデオキシ−１，５−イミノ−Ｄ−グルシトール，テトラブチラート；
Ｎ−（ｎ−テトラデシル）−１，５−ジデオキシ−１，５−イミノ−Ｄ−グルシトール，テトラブチラート；
Ｎ−（ｎ−ペンタデシル）−１，５−ジデオキシ−１，５−イミノ−Ｄ−グルシトール，テトラブチラート；
Ｎ−（ｎ−ヘキサデシル）−１，５−ジデオキシ−１，５−イミノ−Ｄ−グルシトール，テトラブチラート；
Ｎ−（ｎ−ヘプタデシル）−１，５−ジデオキシ−１，５−イミノ−Ｄ−グルシトール，テトラブチラート；
Ｎ−（ｎ−オクタデシル）−１，５−ジデオキシ−１，５−イミノ−Ｄ−グルシトール，テトラブチラート；
Ｎ−（ｎ−ノナデシル）−１，５−ジデオキシ−１，５−イミノ−Ｄ−グルシトール，テトラブチラート；
Ｎ−（ｎ−エイコシル）−１，５−ジデオキシ−１，５−イミノ−Ｄ−グルシトール，テトラブチラート；
Ｎ−（２−エチルヘキシル）−１，５−ジデオキシ−１，５−イミノ−Ｄ−グルシトール；
Ｎ−（４−エチルヘキシル）−１，５−ジデオキシ−１，５−イミノ−Ｄ−グルシトール；
Ｎ−（５−メチルヘキシル）−１，５−ジデオキシ−１，５−イミノ−Ｄ−グルシトール；
Ｎ−（３−プロピルヘキシル）−１，５−ジデオキシ−１，５−イミノ−Ｄ−グルシトール；
Ｎ−（１−ペンチルペンチルヘキシル）−１，５−ジデオキシ−１，５−イミノ−Ｄ−グルシトール；
Ｎ−（１−ブチルブチル）−１，５−ジデオキシ−１，５−イミノ−Ｄ−グルシトール；
Ｎ−（７−メチルオクチル）−１，５−ジデオキシ−１，５−イミノ−Ｄ−グルシトール；
Ｎ−（８−メチルノニル）−１，５−ジデオキシ−１，５−イミノ−Ｄ−グルシトール；
Ｎ−（９−メチルデシル）−１，５−ジデオキシ−１，５−イミノ−Ｄ−グルシトール；
Ｎ−（１０−メチルウンデシル）−１，５−ジデオキシ−１，５−イミノ−Ｄ−グルシトール；
Ｎ−（６−シクロヘキシルヘキシル）−１，５−ジデオキシ−１，５−イミノ−Ｄ−グルシトール；
Ｎ−（４−シクロヘキシルブチル）−１，５−ジデオキシ−１，５−イミノ−Ｄ−グルシトール；
Ｎ−（２−シクロヘキシルエチル）−１，５−ジデオキシ−１，５−イミノ−Ｄ−グルシトール；
Ｎ−（１−シクロヘキシルメチル）−１，５−ジデオキシ−１，５−イミノ−Ｄ−グルシトール；
Ｎ−（１−フェニルメチル）−１，５−ジデオキシ−１，５−イミノ−Ｄ−グルシトール；
Ｎ−（３−フェニルプロピル）−１，５−ジデオキシ−１，５−イミノ−Ｄ−グルシトール；
Ｎ−（３−（４−メチル）−フェニルプロピル）−１，５−ジデオキシ−１，５−イミノ−Ｄ−グルシトール；
Ｎ−（６−フェニルヘキシル）−１，５−ジデオキシ−１，５−イミノ−Ｄ−グルシトール；
Ｎ−（２−エチルヘキシル）−１，５−ジデオキシ−１，５−イミノ−Ｄ−グルシトール，テトラブチラート；
Ｎ−（４−エチルヘキシル）−１，５−ジデオキシ−１，５−イミノ−Ｄ−グルシトール，テトラブチラート；
Ｎ−（５−メチルヘキシル）−１，５−ジデオキシ−１，５−イミノ−Ｄ−グルシトール，テトラブチラート；
Ｎ−（３−プロピルヘキシル）−１，５−ジデオキシ−１，５−イミノ−Ｄ−グルシトール，テトラブチラート；
Ｎ−（１−ペンチルペンチルヘキシル）−１，５−ジデオキシ−１，５−イミノ−Ｄ−グルシトール，テトラブチラート；
Ｎ−（１−ブチルブチル）−１，５−ジデオキシ−１，５−イミノ−Ｄ−グルシトール，テトラブチラート；
Ｎ−（７−メチルオクチル）−１，５−ジデオキシ−１，５−イミノ−Ｄ−グルシトール，テトラブチラート；
Ｎ−（８−メチルノニル）−１，５−ジデオキシ−１，５−イミノ−Ｄ−グルシトール，テトラブチラート；
Ｎ−（９−メチルデシル）−１，５−ジデオキシ−１，５−イミノ−Ｄ−グルシトール，テトラブチラート；
Ｎ−（１０−メチルウンデシル）−１，５−ジデオキシ−１，５−イミノ−Ｄ−グルシトール，テトラブチラート；
Ｎ−（６−シクロヘキシルヘキシル）−１，５−ジデオキシ−１，５−イミノ−Ｄ−グルシトール，テトラブチラート；
Ｎ−（４−シクロヘキシルブチル）−１，５−ジデオキシ−１，５−イミノ−Ｄ−グルシトール，テトラブチラート；
Ｎ−（２−シクロヘキシルエチル）−１，５−ジデオキシ−１，５−イミノ−Ｄ−グルシトール，テトラブチラート；
Ｎ−（１−シクロヘキシルメチル）−１，５−ジデオキシ−１，５−イミノ−Ｄ−グルシトール，テトラブチラート；
Ｎ−（１−フェニルメチル）−１，５−ジデオキシ−１，５−イミノ−Ｄ−グルシトール，テトラブチラート；
Ｎ−（３−フェニルプロピル）−１，５−ジデオキシ−１，５−イミノ−Ｄ−グルシトール，テトラブチラート；
Ｎ−（３−（４−メチル）−フェニルプロピル）−１，５−ジデオキシ−１，５−イミノ−Ｄ−グルシトール，テトラブチラート；
Ｎ−（６−フェニルヘキシル）−１，５−ジデオキシ−１，５−イミノ−Ｄ−グルシトール，テトラブチラート；
Ｎ−（７−オキサ−ｎ−デシル）−１，５−ジデオキシ−１，５−イミノ−Ｄ−グルシトール；
Ｎ−（７−オキサ−ｎ−デシル）−１，５−ジデオキシ−１，５−イミノ−Ｄ−グルシトール，テトラブチラート；
Ｎ−（７−オキサ−ｎ−デシル）−１，５−ジデオキシ−１，５−イミノ−Ｄ−グルシトール，テトラアセテート；
Ｎ−（３−オキサ−ｎ−デシル）−１，５−ジデオキシ−１，５−イミノ−Ｄ−グルシトール；
Ｎ−（９−オキサ−ｎ−デシル）−１，５−ジデオキシ−１，５−イミノ−Ｄ−グルシトール；
Ｎ−（７−オキサ−ｎ−ノニル）−１，５−ジデオキシ−１，５−イミノ−Ｄ−グルシトール；
Ｎ−（３−オキサ−ｎ−ノニル）−１，５−ジデオキシ−１，５−イミノ−Ｄ−グルシトール，テトラアセテート；
Ｎ−（３−オキサ−ｎ−ノニル）−１，５−ジデオキシ−１，５−イミノ−Ｄ−グルシトール；および
Ｎ−（７，１０，１３−トリオキサ−ｎ−テトラデシル）−１，５−ジデオキシ−１，５−イミノ−Ｄ−グルシトール。
【請求項１７】  医薬的に許容できる塩が、酢酸塩、アジピン酸塩、アルギン酸塩、クエン酸塩、アスパラギン酸塩、安息香酸塩、ベンゼンスルホン酸塩、硫酸水素塩、酪酸塩、ショウノウ酸塩、ショウノウスルホン酸塩、ジグルコン酸塩、シクロペンタンプロピオン酸塩、ドデシル硫酸塩、エタンスルホン酸塩、グルコヘプタン酸塩、グリセロリン酸塩、ヘミ硫酸塩、ヘプタン酸塩、ヘキサン酸塩、フマル酸塩、塩酸塩、臭化水素酸塩、ヨウ化水素酸塩、２−ヒドロキシ−エタンスルホン酸塩、乳酸塩、マレイン酸塩、メタンスルホン酸塩、ニコチン酸塩、２−ナフタレンスルホン酸塩、シュウ酸塩、パルモエート、ペクチナート、過硫酸塩、３−フェニルプロピオン酸塩、ピクリン酸塩、ピバル酸塩、プロピオン酸塩、コハク酸塩、酒石酸塩、チオシアン酸塩、トシラート、メシラート、およびウンデカン酸塩よりなる群から選択される、請求項１０記載の医薬組成物。
【請求項１８】  肝炎ウイルス感染症を処置するために用いる請求項１０〜１７のいずれか１項に記載の医薬組成物。
【請求項１９】  抗ウイルス有効量の少なくとも１種類の式ＩのＮ−置換−１，５−ジデオキシ−１，５−イミノ−Ｄ−グルシトール化合物またはその医薬的に許容できる塩：
【化３】
2002502875.tif 000003
を含み、
実質的にヌクレオシド、ヌクレオチド、免疫調節薬または免疫刺激薬を含まず、
（式中、
Ｒは、鎖長Ｃ7〜Ｃ20を有する直鎖アルキル；主鎖中に鎖長Ｃ3〜Ｃ20を有する分枝鎖アルキル；アルコキシアルキル、アリールアルキル、およびシクロアルキルアルキルよりなる群から選択され、そして
Ｗ、Ｘ、ＹおよびＺは、それぞれ独立して、水素、アルカノイル、アロイル、およびトリフルオロアルカノイルよりなる群から選択される）、
医薬的に許容できるキャリヤー、希釈剤または賦形剤を含む医薬組成物。
【請求項２０】  Ｒが鎖長Ｃ7〜Ｃ20を有する直鎖アルキルであり、かつＷ、Ｘ、ＹおよびＺがそれぞれ水素である、請求項１９記載の医薬組成物。
【請求項２１】  Ｒがノニルである、請求項２０記載の医薬組成物。
【請求項２２】  Ｒが鎖長Ｃ7〜Ｃ20を有する直鎖アルキルであり、かつＷ、Ｘ、ＹおよびＺがそれぞれアルカノイルである、請求項１９記載の医薬組成物。
【請求項２３】  Ｒがノニルである、請求項２２記載の医薬組成物。
【請求項２４】  アルカノイルがブタノイルである、請求項２３記載の医薬組成物。
【請求項２５】  Ｎ−置換−１，５−ジデオキシ−１，５−イミノ−Ｄ−グルシトール化合物が下記よりなる群から選択される、請求項１９記載の医薬組成物：
Ｎ−（ｎ−ヘプチル）−１，５−ジデオキシ−１，５−イミノ−Ｄ−グルシトール；
Ｎ−（ｎ−オクチル）−１，５−ジデオキシ−１，５−イミノ−Ｄ−グルシトール；
Ｎ−（ｎ−ノニル）−１，５−ジデオキシ−１，５−イミノ−Ｄ−グルシトール；
Ｎ−（ｎ−デシル）−１，５−ジデオキシ−１，５−イミノ−Ｄ−グルシトール；
Ｎ−（ｎ−ウンデシル）−１，５−ジデオキシ−１，５−イミノ−Ｄ−グルシトール；
Ｎ−（ｎ−ドデシル）−１，５−ジデオキシ−１，５−イミノ−Ｄ−グルシトール；
Ｎ−（ｎ−トリデシル）−１，５−ジデオキシ−１，５−イミノ−Ｄ−グルシトール；
Ｎ−（ｎ−テトラデシル）−１，５−ジデオキシ−１，５−イミノ−Ｄ−グルシトール；
Ｎ−（ｎ−ペンタデシル）−１，５−ジデオキシ−１，５−イミノ−Ｄ−グルシトール；
Ｎ−（ｎ−ヘキサデシル）−１，５−ジデオキシ−１，５−イミノ−Ｄ−グルシトール；
Ｎ−（ｎ−ヘプタデシル）−１，５−ジデオキシ−１，５−イミノ−Ｄ−グルシトール；
Ｎ−（ｎ−オクタデシル）−１，５−ジデオキシ−１，５−イミノ−Ｄ−グルシトール；
Ｎ−（ｎ−ノナデシル）−１，５−ジデオキシ−１，５−イミノ−Ｄ−グルシトール；
Ｎ−（ｎ−エイコシル）−１，５−ジデオキシ−１，５−イミノ−Ｄ−グルシトール；
Ｎ−（ｎ−ヘプチル）−１，５−ジデオキシ−１，５−イミノ−Ｄ−グルシトール，テトラブチラート；
Ｎ−（ｎ−オクチル）−１，５−ジデオキシ−１，５−イミノ−Ｄ−グルシトール，テトラブチラート；
Ｎ−（ｎ−ノニル）−１，５−ジデオキシ−１，５−イミノ−Ｄ−グルシトール，テトラブチラート；
Ｎ−（ｎ−デシル）−１，５−ジデオキシ−１，５−イミノ−Ｄ−グルシトール，テトラブチラート；
Ｎ−（ｎ−ウンデシル）−１，５−ジデオキシ−１，５−イミノ−Ｄ−グルシトール，テトラブチラート；
Ｎ−（ｎ−ドデシル）−１，５−ジデオキシ−１，５−イミノ−Ｄ−グルシトール，テトラブチラート；
Ｎ−（ｎ−トリデシル）−１，５−ジデオキシ−１，５−イミノ−Ｄ−グルシトール，テトラブチラート；
Ｎ−（ｎ−テトラデシル）−１，５−ジデオキシ−１，５−イミノ−Ｄ−グルシトール，テトラブチラート；
Ｎ−（ｎ−ペンタデシル）−１，５−ジデオキシ−１，５−イミノ−Ｄ−グルシトール，テトラブチラート；
Ｎ−（ｎ−ヘキサデシル）−１，５−ジデオキシ−１，５−イミノ−Ｄ−グルシトール，テトラブチラート；
Ｎ−（ｎ−ヘプタデシル）−１，５−ジデオキシ−１，５−イミノ−Ｄ−グルシトール，テトラブチラート；
Ｎ−（ｎ−オクタデシル）−１，５−ジデオキシ−１，５−イミノ−Ｄ−グルシトール，テトラブチラート；
Ｎ−（ｎ−ノナデシル）−１，５−ジデオキシ−１，５−イミノ−Ｄ−グルシトール，テトラブチラート；
Ｎ−（ｎ−エイコシル）−１，５−ジデオキシ−１，５−イミノ−Ｄ−グルシトール，テトラブチラート；
Ｎ−（２−エチルヘキシル）−１，５−ジデオキシ−１，５−イミノ−Ｄ−グルシトール；
Ｎ−（４−エチルヘキシル）−１，５−ジデオキシ−１，５−イミノ−Ｄ−グルシトール；
Ｎ−（５−メチルヘキシル）−１，５−ジデオキシ−１，５−イミノ−Ｄ−グルシトール；
Ｎ−（３−プロピルヘキシル）−１，５−ジデオキシ−１，５−イミノ−Ｄ−グルシトール；
Ｎ−（１−ペンチルペンチルヘキシル）−１，５−ジデオキシ−１，５−イミノ−Ｄ−グルシトール；
Ｎ−（１−ブチルブチル）−１，５−ジデオキシ−１，５−イミノ−Ｄ−グルシトール；
Ｎ−（７−メチルオクチル）−１，５−ジデオキシ−１，５−イミノ−Ｄ−グルシトール；
Ｎ−（８−メチルノニル）−１，５−ジデオキシ−１，５−イミノ−Ｄ−グルシトール；
Ｎ−（９−メチルデシル）−１，５−ジデオキシ−１，５−イミノ−Ｄ−グルシトール；
Ｎ−（１０−メチルウンデシル）−１，５−ジデオキシ−１，５−イミノ−Ｄ−グルシトール；
Ｎ−（６−シクロヘキシルヘキシル）−１，５−ジデオキシ−１，５−イミノ−Ｄ−グルシトール；
Ｎ−（４−シクロヘキシルブチル）−１，５−ジデオキシ−１，５−イミノ−Ｄ−グルシトール；
Ｎ−（２−シクロヘキシルエチル）−１，５−ジデオキシ−１，５−イミノ−Ｄ−グルシトール；
Ｎ−（１−シクロヘキシルメチル）−１，５−ジデオキシ−１，５−イミノ−Ｄ−グルシトール；
Ｎ−（１−フェニルメチル）−１，５−ジデオキシ−１，５−イミノ−Ｄ−グルシトール；
Ｎ−（３−フェニルプロピル）−１，５−ジデオキシ−１，５−イミノ−Ｄ−グルシトール；
Ｎ−（３−（４−メチル）−フェニルプロピル）−１，５−ジデオキシ−１，５−イミノ−Ｄ−グルシトール；
Ｎ−（６−フェニルヘキシル）−１，５−ジデオキシ−１，５−イミノ−Ｄ−グルシトール；
Ｎ−（２−エチルヘキシル）−１，５−ジデオキシ−１，５−イミノ−Ｄ−グルシトール，テトラブチラート；
Ｎ−（４−エチルヘキシル）−１，５−ジデオキシ−１，５−イミノ−Ｄ−グルシトール，テトラブチラート；
Ｎ−（５−メチルヘキシル）−１，５−ジデオキシ−１，５−イミノ−Ｄ−グルシトール，テトラブチラート；
Ｎ−（３−プロピルヘキシル）−１，５−ジデオキシ−１，５−イミノ−Ｄ−グルシトール，テトラブチラート；
Ｎ−（１−ペンチルペンチルヘキシル）−１，５−ジデオキシ−１，５−イミノ−Ｄ−グルシトール，テトラブチラート；
Ｎ−（１−ブチルブチル）−１，５−ジデオキシ−１，５−イミノ−Ｄ−グルシトール，テトラブチラート；
Ｎ−（７−メチルオクチル）−１，５−ジデオキシ−１，５−イミノ−Ｄ−グルシトール，テトラブチラート；
Ｎ−（８−メチルノニル）−１，５−ジデオキシ−１，５−イミノ−Ｄ−グルシトール，テトラブチラート；
Ｎ−（９−メチルデシル）−１，５−ジデオキシ−１，５−イミノ−Ｄ−グルシトール，テトラブチラート；
Ｎ−（１０−メチルウンデシル）−１，５−ジデオキシ−１，５−イミノ−Ｄ−グルシトール，テトラブチラート；
Ｎ−（６−シクロヘキシルヘキシル）−１，５−ジデオキシ−１，５−イミノ−Ｄ−グルシトール，テトラブチラート；
Ｎ−（４−シクロヘキシルブチル）−１，５−ジデオキシ−１，５−イミノ−Ｄ−グルシトール，テトラブチラート；
Ｎ−（２−シクロヘキシルエチル）−１，５−ジデオキシ−１，５−イミノ−Ｄ−グルシトール，テトラブチラート；
Ｎ−（１−シクロヘキシルメチル）−１，５−ジデオキシ−１，５−イミノ−Ｄ−グルシトール，テトラブチラート；
Ｎ−（１−フェニルメチル）−１，５−ジデオキシ−１，５−イミノ−Ｄ−グルシトール，テトラブチラート；
Ｎ−（３−フェニルプロピル）−１，５−ジデオキシ−１，５−イミノ−Ｄ−グルシトール，テトラブチラート；
Ｎ−（３−（４−メチル）−フェニルプロピル）−１，５−ジデオキシ−１，５−イミノ−Ｄ−グルシトール，テトラブチラート；
Ｎ−（６−フェニルヘキシル）−１，５−ジデオキシ−１，５−イミノ−Ｄ−グルシトール，テトラブチラート；
Ｎ−（７−オキサ−ｎ−デシル）−１，５−ジデオキシ−１，５−イミノ−Ｄ−グルシトール；
Ｎ−（７−オキサ−ｎ−デシル）−１，５−ジデオキシ−１，５−イミノ−Ｄ−グルシトール，テトラブチラート；
Ｎ−（７−オキサ−ｎ−デシル）−１，５−ジデオキシ−１，５−イミノ−Ｄ−グルシトール，テトラアセテート；
Ｎ−（３−オキサ−ｎ−デシル）−１，５−ジデオキシ−１，５−イミノ−Ｄ−グルシトール；
Ｎ−（９−オキサ−ｎ−デシル）−１，５−ジデオキシ−１，５−イミノ−Ｄ−グルシトール；
Ｎ−（７−オキサ−ｎ−ノニル）−１，５−ジデオキシ−１，５−イミノ−Ｄ−グルシトール；
Ｎ−（３−オキサ−ｎ−ノニル）−１，５−ジデオキシ−１，５−イミノ−Ｄ−グルシトール，テトラアセテート；
Ｎ−（３−オキサ−ｎ−ノニル）−１，５−ジデオキシ−１，５−イミノ−Ｄ−グルシトール；および
Ｎ−（７，１０，１３−トリオキサ−ｎ−テトラデシル）−１，５−ジデオキシ−１，５−イミノ−Ｄ−グルシトール。
【請求項２６】  医薬的に許容できる塩が、酢酸塩、アジピン酸塩、アルギン酸塩、クエン酸塩、アスパラギン酸塩、安息香酸塩、ベンゼンスルホン酸塩、硫酸水素塩、酪酸塩、ショウノウ酸塩、ショウノウスルホン酸塩、ジグルコン酸塩、シクロペンタンプロピオン酸塩、ドデシル硫酸塩、エタンスルホン酸塩、グルコヘプタン酸塩、グリセロリン酸塩、ヘミ硫酸塩、ヘプタン酸塩、ヘキサン酸塩、フマル酸塩、塩酸塩、臭化水素酸塩、ヨウ化水素酸塩、２−ヒドロキシ−エタンスルホン酸塩、乳酸塩、マレイン酸塩、メタンスルホン酸塩、ニコチン酸塩、２−ナフタレンスルホン酸塩、シュウ酸塩、パルモエート、ペクチナート、過硫酸塩、３−フェニルプロピオン酸塩、ピクリン酸塩、ピバル酸塩、プロピオン酸塩、コハク酸塩、酒石酸塩、チオシアン酸塩、トシラート、メシラート、およびウンデカン酸塩よりなる群から選択される、請求項１９記載の医薬組成物。
【請求項２７】  肝炎ウイルス感染症を処置するために用いる請求項１９〜２６のいずれか１項に記載の医薬組成物。
【請求項２８】  抗ウイルス有効量の少なくとも１種類の式ＩのＮ−置換−１，５−ジデオキシ−１，５−イミノ−Ｄ−グルシトール化合物またはその医薬的に許容できる塩：
【化４】
2002502875.tif 000004
を含み、
式Ｉの化合物以外の抗ウイルス化合物を実質的に含まず、
（式中、
Ｒは、鎖長Ｃ7〜Ｃ20を有する直鎖アルキル；主鎖中に鎖長Ｃ3〜Ｃ20を有する分枝鎖アルキル；アルコキシアルキル、アリールアルキル、およびシクロアルキルアルキルよりなる群から選択され、そして
Ｗ、Ｘ、ＹおよびＺは、それぞれ独立して、水素、アルカノイル、アロイル、およびトリフルオロアルカノイルよりなる群から選択される）、
医薬的に許容できるキャリヤー、希釈剤または賦形剤を含む医薬組成物。
【請求項２９】  Ｒが鎖長Ｃ7〜Ｃ20を有する直鎖アルキルであり、かつＷ、Ｘ、ＹおよびＺがそれぞれ水素である、請求項２８記載の医薬組成物。
【請求項３０】  Ｒがノニルである、請求項２９記載の医薬組成物。
【請求項３１】  Ｒが鎖長Ｃ7〜Ｃ20を有する直鎖アルキルであり、かつＷ、Ｘ、ＹおよびＺがそれぞれアルカノイルである、請求項２８記載の医薬組成物。
【請求項３２】  Ｒがノニルである、請求項３１記載の医薬組成物。
【請求項３３】  アルカノイルがブタノイルである、請求項３２記載の医薬組成物。
【請求項３４】  Ｎ−置換−１，５−ジデオキシ−１，５−イミノ−Ｄ−グルシトール化合物が下記よりなる群から選択される、請求項２８記載の医薬組成物：
Ｎ−（ｎ−ヘプチル）−１，５−ジデオキシ−１，５−イミノ−Ｄ−グルシトール；
Ｎ−（ｎ−オクチル）−１，５−ジデオキシ−１，５−イミノ−Ｄ−グルシトール；
Ｎ−（ｎ−ノニル）−１，５−ジデオキシ−１，５−イミノ−Ｄ−グルシトール；
Ｎ−（ｎ−デシル）−１，５−ジデオキシ−１，５−イミノ−Ｄ−グルシトール；
Ｎ−（ｎ−ウンデシル）−１，５−ジデオキシ−１，５−イミノ−Ｄ−グルシトール；
Ｎ−（ｎ−ドデシル）−１，５−ジデオキシ−１，５−イミノ−Ｄ−グルシトール；
Ｎ−（ｎ−トリデシル）−１，５−ジデオキシ−１，５−イミノ−Ｄ−グルシトール；
Ｎ−（ｎ−テトラデシル）−１，５−ジデオキシ−１，５−イミノ−Ｄ−グルシトール；
Ｎ−（ｎ−ペンタデシル）−１，５−ジデオキシ−１，５−イミノ−Ｄ−グルシトール；
Ｎ−（ｎ−ヘキサデシル）−１，５−ジデオキシ−１，５−イミノ−Ｄ−グルシトール；
Ｎ−（ｎ−ヘプタデシル）−１，５−ジデオキシ−１，５−イミノ−Ｄ−グルシトール；
Ｎ−（ｎ−オクタデシル）−１，５−ジデオキシ−１，５−イミノ−Ｄ−グルシトール；
Ｎ−（ｎ−ノナデシル）−１，５−ジデオキシ−１，５−イミノ−Ｄ−グルシトール；
Ｎ−（ｎ−エイコシル）−１，５−ジデオキシ−１，５−イミノ−Ｄ−グルシトール；
Ｎ−（ｎ−ヘプチル）−１，５−ジデオキシ−１，５−イミノ−Ｄ−グルシトール，テトラブチラート；
Ｎ−（ｎ−オクチル）−１，５−ジデオキシ−１，５−イミノ−Ｄ−グルシトール，テトラブチラート；
Ｎ−（ｎ−ノニル）−１，５−ジデオキシ−１，５−イミノ−Ｄ−グルシトール，テトラブチラート；
Ｎ−（ｎ−デシル）−１，５−ジデオキシ−１，５−イミノ−Ｄ−グルシトール，テトラブチラート；
Ｎ−（ｎ−ウンデシル）−１，５−ジデオキシ−１，５−イミノ−Ｄ−グルシトール，テトラブチラート；
Ｎ−（ｎ−ドデシル）−１，５−ジデオキシ−１，５−イミノ−Ｄ−グルシトール，テトラブチラート；
Ｎ−（ｎ−トリデシル）−１，５−ジデオキシ−１，５−イミノ−Ｄ−グルシトール，テトラブチラート；
Ｎ−（ｎ−テトラデシル）−１，５−ジデオキシ−１，５−イミノ−Ｄ−グルシトール，テトラブチラート；
Ｎ−（ｎ−ペンタデシル）−１，５−ジデオキシ−１，５−イミノ−Ｄ−グルシトール，テトラブチラート；
Ｎ−（ｎ−ヘキサデシル）−１，５−ジデオキシ−１，５−イミノ−Ｄ−グルシトール，テトラブチラート；
Ｎ−（ｎ−ヘプタデシル）−１，５−ジデオキシ−１，５−イミノ−Ｄ−グルシトール，テトラブチラート；
Ｎ−（ｎ−オクタデシル）−１，５−ジデオキシ−１，５−イミノ−Ｄ−グルシトール，テトラブチラート；
Ｎ−（ｎ−ノナデシル）−１，５−ジデオキシ−１，５−イミノ−Ｄ−グルシトール，テトラブチラート；
Ｎ−（ｎ−エイコシル）−１，５−ジデオキシ−１，５−イミノ−Ｄ−グルシトール，テトラブチラート；
Ｎ−（２−エチルヘキシル）−１，５−ジデオキシ−１，５−イミノ−Ｄ−グルシトール；
Ｎ−（４−エチルヘキシル）−１，５−ジデオキシ−１，５−イミノ−Ｄ−グルシトール；
Ｎ−（５−メチルヘキシル）−１，５−ジデオキシ−１，５−イミノ−Ｄ−グルシトール；
Ｎ−（３−プロピルヘキシル）−１，５−ジデオキシ−１，５−イミノ−Ｄ−グルシトール；
Ｎ−（１−ペンチルペンチルヘキシル）−１，５−ジデオキシ−１，５−イミノ−Ｄ−グルシトール；
Ｎ−（１−ブチルブチル）−１，５−ジデオキシ−１，５−イミノ−Ｄ−グルシトール；
Ｎ−（７−メチルオクチル）−１，５−ジデオキシ−１，５−イミノ−Ｄ−グルシトール；
Ｎ−（８−メチルノニル）−１，５−ジデオキシ−１，５−イミノ−Ｄ−グルシトール；
Ｎ−（９−メチルデシル）−１，５−ジデオキシ−１，５−イミノ−Ｄ−グルシトール；
Ｎ−（１０−メチルウンデシル）−１，５−ジデオキシ−１，５−イミノ−Ｄ−グルシトール；
Ｎ−（６−シクロヘキシルヘキシル）−１，５−ジデオキシ−１，５−イミノ−Ｄ−グルシトール；
Ｎ−（４−シクロヘキシルブチル）−１，５−ジデオキシ−１，５−イミノ−Ｄ−グルシトール；
Ｎ−（２−シクロヘキシルエチル）−１，５−ジデオキシ−１，５−イミノ−Ｄ−グルシトール；
Ｎ−（１−シクロヘキシルメチル）−１，５−ジデオキシ−１，５−イミノ−Ｄ−グルシトール；
Ｎ−（１−フェニルメチル）−１，５−ジデオキシ−１，５−イミノ−Ｄ−グルシトール；
Ｎ−（３−フェニルプロピル）−１，５−ジデオキシ−１，５−イミノ−Ｄ−グルシトール；
Ｎ−（３−（４−メチル）−フェニルプロピル）−１，５−ジデオキシ−１，５−イミノ−Ｄ−グルシトール；
Ｎ−（６−フェニルヘキシル）−１，５−ジデオキシ−１，５−イミノ−Ｄ−グルシトール；
Ｎ−（２−エチルヘキシル）−１，５−ジデオキシ−１，５−イミノ−Ｄ−グルシトール，テトラブチラート；
Ｎ−（４−エチルヘキシル）−１，５−ジデオキシ−１，５−イミノ−Ｄ−グルシトール，テトラブチラート；
Ｎ−（５−メチルヘキシル）−１，５−ジデオキシ−１，５−イミノ−Ｄ−グルシトール，テトラブチラート；
Ｎ−（３−プロピルヘキシル）−１，５−ジデオキシ−１，５−イミノ−Ｄ−グルシトール，テトラブチラート；
Ｎ−（１−ペンチルペンチルヘキシル）−１，５−ジデオキシ−１，５−イミノ−Ｄ−グルシトール，テトラブチラート；
Ｎ−（１−ブチルブチル）−１，５−ジデオキシ−１，５−イミノ−Ｄ−グルシトール，テトラブチラート；
Ｎ−（７−メチルオクチル）−１，５−ジデオキシ−１，５−イミノ−Ｄ−グルシトール，テトラブチラート；
Ｎ−（８−メチルノニル）−１，５−ジデオキシ−１，５−イミノ−Ｄ−グルシトール，テトラブチラート；
Ｎ−（９−メチルデシル）−１，５−ジデオキシ−１，５−イミノ−Ｄ−グルシトール，テトラブチラート；
Ｎ−（１０−メチルウンデシル）−１，５−ジデオキシ−１，５−イミノ−Ｄ−グルシトール，テトラブチラート；
Ｎ−（６−シクロヘキシルヘキシル）−１，５−ジデオキシ−１，５−イミノ−Ｄ−グルシトール，テトラブチラート；
Ｎ−（４−シクロヘキシルブチル）−１，５−ジデオキシ−１，５−イミノ−Ｄ−グルシトール，テトラブチラート；
Ｎ−（２−シクロヘキシルエチル）−１，５−ジデオキシ−１，５−イミノ−Ｄ−グルシトール，テトラブチラート；
Ｎ−（１−シクロヘキシルメチル）−１，５−ジデオキシ−１，５−イミノ−Ｄ−グルシトール，テトラブチラート；
Ｎ−（１−フェニルメチル）−１，５−ジデオキシ−１，５−イミノ−Ｄ−グルシトール，テトラブチラート；
Ｎ−（３−フェニルプロピル）−１，５−ジデオキシ−１，５−イミノ−Ｄ−グルシトール，テトラブチラート；
Ｎ−（３−（４−メチル）−フェニルプロピル）−１，５−ジデオキシ−１，５−イミノ−Ｄ−グルシトール，テトラブチラート；
Ｎ−（６−フェニルヘキシル）−１，５−ジデオキシ−１，５−イミノ−Ｄ−グルシトール，テトラブチラート；
Ｎ−（７−オキサ−ｎ−デシル）−１，５−ジデオキシ−１，５−イミノ−Ｄ−グルシトール；
Ｎ−（７−オキサ−ｎ−デシル）−１，５−ジデオキシ−１，５−イミノ−Ｄ−グルシトール，テトラブチラート；
Ｎ−（７−オキサ−ｎ−デシル）−１，５−ジデオキシ−１，５−イミノ−Ｄ−グルシトール，テトラアセテート；
Ｎ−（３−オキサ−ｎ−デシル）−１，５−ジデオキシ−１，５−イミノ−Ｄ−グルシトール；
Ｎ−（９−オキサ−ｎ−デシル）−１，５−ジデオキシ−１，５−イミノ−Ｄ−グルシトール；
Ｎ−（７−オキサ−ｎ−ノニル）−１，５−ジデオキシ−１，５−イミノ−Ｄ−グルシトール；
Ｎ−（３−オキサ−ｎ−ノニル）−１，５−ジデオキシ−１，５−イミノ−Ｄ−グルシトール，テトラアセテート；
Ｎ−（３−オキサ−ｎ−ノニル）−１，５−ジデオキシ−１，５−イミノ−Ｄ−グルシトール；および
Ｎ−（７，１０，１３−トリオキサ−ｎ−テトラデシル）−１，５−ジデオキシ−１，５−イミノ−Ｄ−グルシトール。
【請求項３５】  医薬的に許容できる塩が、酢酸塩、アジピン酸塩、アルギン酸塩、クエン酸塩、アスパラギン酸塩、安息香酸塩、ベンゼンスルホン酸塩、硫酸水素塩、酪酸塩、ショウノウ酸塩、ショウノウスルホン酸塩、ジグルコン酸塩、シクロペンタンプロピオン酸塩、ドデシル硫酸塩、エタンスルホン酸塩、グルコヘプタン酸塩、グリセロリン酸塩、ヘミ硫酸塩、ヘプタン酸塩、ヘキサン酸塩、フマル酸塩、塩酸塩、臭化水素酸塩、ヨウ化水素酸塩、２−ヒドロキシ−エタンスルホン酸塩、乳酸塩、マレイン酸塩、メタンスルホン酸塩、ニコチン酸塩、２−ナフタレンスルホン酸塩、シュウ酸塩、パルモエート、ペクチナート、過硫酸塩、３−フェニルプロピオン酸塩、ピクリン酸塩、ピバル酸塩、プロピオン酸塩、コハク酸塩、酒石酸塩、チオシアン酸塩、トシラート、メシラート、およびウンデカン酸塩よりなる群から選択される、請求項２８記載の医薬組成物。
【請求項３６】  肝炎ウイルス感染症を処置するために用いる請求項２８〜３５のいずれか１項に記載の医薬組成物。
【請求項３７】  少なくとも１種類の式ＩのＮ−置換−１，５−ジデオキシ−１，５−イミノ−Ｄ−グルシトール化合物またはその医薬的に許容できる塩：
【化５】
2002502875.tif 000005
（式中、
Ｒは、鎖長Ｃ7〜Ｃ20を有する直鎖アルキル；主鎖中に鎖長Ｃ3〜Ｃ20を有する分枝鎖アルキル；アルコキシアルキル、アリールアルキル、およびシクロアルキルアルキルよりなる群から選択され、そして
Ｗ、Ｘ、ＹおよびＺは、それぞれ独立して、水素、アルカノイル、アロイル、およびトリフルオロアルカノイルよりなる群から選択される）；ならびに
ヌクレオシド抗ウイルス化合物、ヌクレオチド抗ウイルス化合物、免疫調節薬、免疫刺激薬、およびその混合物よりなる群から選択される抗ウイルス化合物
を含む組成物。
【請求項３８】  Ｒが鎖長Ｃ7〜Ｃ20を有する直鎖アルキルであり、かつＷ、Ｘ、ＹおよびＺがそれぞれ水素である、請求項３７記載の組成物。
【請求項３９】  Ｒがノニルである、請求項３８記載の組成物。
【請求項４０】  Ｒが鎖長Ｃ7〜Ｃ20を有する直鎖アルキルであり、かつＷ、Ｘ、ＹおよびＺがそれぞれアルカノイルである、請求項３７記載の組成物。
【請求項４１】  Ｒがノニルである、請求項４０記載の組成物。
【請求項４２】  アルカノイルがブタノイルである、請求項４１記載の組成物。
【請求項４３】  Ｎ−置換−１，５−ジデオキシ−１，５−イミノ−Ｄ−グルシトール化合物が下記よりなる群から選択される、請求項３７記載の組成物：
Ｎ−（ｎ−ヘプチル）−１，５−ジデオキシ−１，５−イミノ−Ｄ−グルシトール；
Ｎ−（ｎ−オクチル）−１，５−ジデオキシ−１，５−イミノ−Ｄ−グルシトール；
Ｎ−（ｎ−ノニル）−１，５−ジデオキシ−１，５−イミノ−Ｄ−グルシトール；
Ｎ−（ｎ−デシル）−１，５−ジデオキシ−１，５−イミノ−Ｄ−グルシトール；
Ｎ−（ｎ−ウンデシル）−１，５−ジデオキシ−１，５−イミノ−Ｄ−グルシトール；
Ｎ−（ｎ−ドデシル）−１，５−ジデオキシ−１，５−イミノ−Ｄ−グルシトール；
Ｎ−（ｎ−トリデシル）−１，５−ジデオキシ−１，５−イミノ−Ｄ−グルシトール；
Ｎ−（ｎ−テトラデシル）−１，５−ジデオキシ−１，５−イミノ−Ｄ−グルシトール；
Ｎ−（ｎ−ペンタデシル）−１，５−ジデオキシ−１，５−イミノ−Ｄ−グルシトール；
Ｎ−（ｎ−ヘキサデシル）−１，５−ジデオキシ−１，５−イミノ−Ｄ−グルシトール；
Ｎ−（ｎ−ヘプタデシル）−１，５−ジデオキシ−１，５−イミノ−Ｄ−グルシトール；
Ｎ−（ｎ−オクタデシル）−１，５−ジデオキシ−１，５−イミノ−Ｄ−グルシトール；
Ｎ−（ｎ−ノナデシル）−１，５−ジデオキシ−１，５−イミノ−Ｄ−グルシトール；
Ｎ−（ｎ−エイコシル）−１，５−ジデオキシ−１，５−イミノ−Ｄ−グルシトール；
Ｎ−（ｎ−ヘプチル）−１，５−ジデオキシ−１，５−イミノ−Ｄ−グルシトール，テトラブチラート；
Ｎ−（ｎ−オクチル）−１，５−ジデオキシ−１，５−イミノ−Ｄ−グルシトール，テトラブチラート；
Ｎ−（ｎ−ノニル）−１，５−ジデオキシ−１，５−イミノ−Ｄ−グルシトール，テトラブチラート；
Ｎ−（ｎ−デシル）−１，５−ジデオキシ−１，５−イミノ−Ｄ−グルシトール，テトラブチラート；
Ｎ−（ｎ−ウンデシル）−１，５−ジデオキシ−１，５−イミノ−Ｄ−グルシトール，テトラブチラート；
Ｎ−（ｎ−ドデシル）−１，５−ジデオキシ−１，５−イミノ−Ｄ−グルシトール，テトラブチラート；
Ｎ−（ｎ−トリデシル）−１，５−ジデオキシ−１，５−イミノ−Ｄ−グルシトール，テトラブチラート；
Ｎ−（ｎ−テトラデシル）−１，５−ジデオキシ−１，５−イミノ−Ｄ−グルシトール，テトラブチラート；
Ｎ−（ｎ−ペンタデシル）−１，５−ジデオキシ−１，５−イミノ−Ｄ−グルシトール，テトラブチラート；
Ｎ−（ｎ−ヘキサデシル）−１，５−ジデオキシ−１，５−イミノ−Ｄ−グルシトール，テトラブチラート；
Ｎ−（ｎ−ヘプタデシル）−１，５−ジデオキシ−１，５−イミノ−Ｄ−グルシトール，テトラブチラート；
Ｎ−（ｎ−オクタデシル）−１，５−ジデオキシ−１，５−イミノ−Ｄ−グルシトール，テトラブチラート；
Ｎ−（ｎ−ノナデシル）−１，５−ジデオキシ−１，５−イミノ−Ｄ−グルシトール，テトラブチラート；
Ｎ−（ｎ−エイコシル）−１，５−ジデオキシ−１，５−イミノ−Ｄ−グルシトール，テトラブチラート；
Ｎ−（２−エチルヘキシル）−１，５−ジデオキシ−１，５−イミノ−Ｄ−グルシトール；
Ｎ−（４−エチルヘキシル）−１，５−ジデオキシ−１，５−イミノ−Ｄ−グルシトール；
Ｎ−（５−メチルヘキシル）−１，５−ジデオキシ−１，５−イミノ−Ｄ−グルシトール；
Ｎ−（３−プロピルヘキシル）−１，５−ジデオキシ−１，５−イミノ−Ｄ−グルシトール；
Ｎ−（１−ペンチルペンチルヘキシル）−１，５−ジデオキシ−１，５−イミノ−Ｄ−グルシトール；
Ｎ−（１−ブチルブチル）−１，５−ジデオキシ−１，５−イミノ−Ｄ−グルシトール；
Ｎ−（７−メチルオクチル）−１，５−ジデオキシ−１，５−イミノ−Ｄ−グルシトール；
Ｎ−（８−メチルノニル）−１，５−ジデオキシ−１，５−イミノ−Ｄ−グルシトール；
Ｎ−（９−メチルデシル）−１，５−ジデオキシ−１，５−イミノ−Ｄ−グルシトール；
Ｎ−（１０−メチルウンデシル）−１，５−ジデオキシ−１，５−イミノ−Ｄ−グルシトール；
Ｎ−（６−シクロヘキシルヘキシル）−１，５−ジデオキシ−１，５−イミノ−Ｄ−グルシトール；
Ｎ−（４−シクロヘキシルブチル）−１，５−ジデオキシ−１，５−イミノ−Ｄ−グルシトール；
Ｎ−（２−シクロヘキシルエチル）−１，５−ジデオキシ−１，５−イミノ−Ｄ−グルシトール；
Ｎ−（１−シクロヘキシルメチル）−１，５−ジデオキシ−１，５−イミノ−Ｄ−グルシトール；
Ｎ−（１−フェニルメチル）−１，５−ジデオキシ−１，５−イミノ−Ｄ−グルシトール；
Ｎ−（３−フェニルプロピル）−１，５−ジデオキシ−１，５−イミノ−Ｄ−グルシトール；
Ｎ−（３−（４−メチル）−フェニルプロピル）−１，５−ジデオキシ−１，５−イミノ−Ｄ−グルシトール；
Ｎ−（６−フェニルヘキシル）−１，５−ジデオキシ−１，５−イミノ−Ｄ−グルシトール；
Ｎ−（２−エチルヘキシル）−１，５−ジデオキシ−１，５−イミノ−Ｄ−グルシトール，テトラブチラート；
Ｎ−（４−エチルヘキシル）−１，５−ジデオキシ−１，５−イミノ−Ｄ−グルシトール，テトラブチラート；
Ｎ−（５−メチルヘキシル）−１，５−ジデオキシ−１，５−イミノ−Ｄ−グルシトール，テトラブチラート；
Ｎ−（３−プロピルヘキシル）−１，５−ジデオキシ−１，５−イミノ−Ｄ−グルシトール，テトラブチラート；
Ｎ−（１−ペンチルペンチルヘキシル）−１，５−ジデオキシ−１，５−イミノ−Ｄ−グルシトール，テトラブチラート；
Ｎ−（１−ブチルブチル）−１，５−ジデオキシ−１，５−イミノ−Ｄ−グルシトール，テトラブチラート；
Ｎ−（７−メチルオクチル）−１，５−ジデオキシ−１，５−イミノ−Ｄ−グルシトール，テトラブチラート；
Ｎ−（８−メチルノニル）−１，５−ジデオキシ−１，５−イミノ−Ｄ−グルシトール，テトラブチラート；
Ｎ−（９−メチルデシル）−１，５−ジデオキシ−１，５−イミノ−Ｄ−グルシトール，テトラブチラート；
Ｎ−（１０−メチルウンデシル）−１，５−ジデオキシ−１，５−イミノ−Ｄ−グルシトール，テトラブチラート；
Ｎ−（６−シクロヘキシルヘキシル）−１，５−ジデオキシ−１，５−イミノ−Ｄ−グルシトール，テトラブチラート；
Ｎ−（４−シクロヘキシルブチル）−１，５−ジデオキシ−１，５−イミノ−Ｄ−グルシトール，テトラブチラート；
Ｎ−（２−シクロヘキシルエチル）−１，５−ジデオキシ−１，５−イミノ−Ｄ−グルシトール，テトラブチラート；
Ｎ−（１−シクロヘキシルメチル）−１，５−ジデオキシ−１，５−イミノ−Ｄ−グルシトール，テトラブチラート；
Ｎ−（１−フェニルメチル）−１，５−ジデオキシ−１，５−イミノ−Ｄ−グルシトール，テトラブチラート；
Ｎ−（３−フェニルプロピル）−１，５−ジデオキシ−１，５−イミノ−Ｄ−グルシトール，テトラブチラート；
Ｎ−（３−（４−メチル）−フェニルプロピル）−１，５−ジデオキシ−１，５−イミノ−Ｄ−グルシトール，テトラブチラート；
Ｎ−（６−フェニルヘキシル）−１，５−ジデオキシ−１，５−イミノ−Ｄ−グルシトール，テトラブチラート；
Ｎ−（７−オキサ−ｎ−デシル）−１，５−ジデオキシ−１，５−イミノ−Ｄ−グルシトール；
Ｎ−（７−オキサ−ｎ−デシル）−１，５−ジデオキシ−１，５−イミノ−Ｄ−グルシトール，テトラブチラート；
Ｎ−（７−オキサ−ｎ−デシル）−１，５−ジデオキシ−１，５−イミノ−Ｄ−グルシトール，テトラアセテート；
Ｎ−（３−オキサ−ｎ−デシル）−１，５−ジデオキシ−１，５−イミノ−Ｄ−グルシトール；
Ｎ−（９−オキサ−ｎ−デシル）−１，５−ジデオキシ−１，５−イミノ−Ｄ−グルシトール；
Ｎ−（７−オキサ−ｎ−ノニル）−１，５−ジデオキシ−１，５−イミノ−Ｄ−グルシトール；
Ｎ−（３−オキサ−ｎ−ノニル）−１，５−ジデオキシ−１，５−イミノ−Ｄ−グルシトール，テトラアセテート；
Ｎ−（３−オキサ−ｎ−ノニル）−１，５−ジデオキシ−１，５−イミノ−Ｄ−グルシトール；および
Ｎ−（７，１０，１３−トリオキサ−ｎ−テトラデシル）−１，５−ジデオキシ−１，５−イミノ−Ｄ−グルシトール。
【請求項４４】  ヌクレオシドまたはヌクレオチド抗ウイルス化合物が下記よりなる群から選択される、請求項３７記載の組成物：
（＋）−ｃｉｓ−５−フルオロ−１−［２−（ヒドロキシ−メチル）−［１，３−オキサチオラン−５−イル］シトシン；
（−）−２’−デオキシ−３’−チオシチジン−５’−三リン酸（３ＴＣ）；
（−）−ｃｉｓ−５−フルオロ−１−［２−（ヒドロキシ−メチル）−［１，３−オキサチオラン−５−イル］シトシン（ＦＴＣ）；
（−）２’，３’，ジデオキシ−３’−チアシチジン［（−）−ＳｄｄＣ］；
１−（２’−デオキシ−２’−フルオロ−ベータ−Ｄ−アラビノフラノシル）−５−ヨードシトシン（ＦＩＡＣ）；
１−（２’−デオキシ−２’−フルオロ−ベータ−Ｄ−アラビノフラノシル）−５−ヨードシトシン三リン酸（ＦＩＡＣＴＰ）；
１−（２’−デオキシ−２’−フルオロ−ベータ−Ｄ−アラビノフラノシル）−５−メチルウラシル（ＦＭＡＵ）；
１−ベータ−Ｄ−リボフラノシル−１，２，４−トリアゾール−３−カルボキシアミド；
２’，３’−ジデオキシ−３’−フルオロ−５−メチル−デキソシチジン（ＦｄｄＭｅＣｙｔ）；
２’，３’−ジデオキシ−３’−クロロ−５−メチル−デキソシチジン（ＣｌｄｄＭｅＣｙｔ）；
２’，３’−ジデオキシ−３’−アミノ−５−メチル−デキソシチジン（ＡｄｄＭｅＣｙｔ）；
２’，３’−ジデオキシ−３’−フルオロ−５−メチル−シチジン（ＦｄｄＭｅＣｙｔ）；
２’，３’−ジデオキシ−３’−クロロ−５−メチル−シチジン（ＣｌｄｄＭｅＣｙｔ）；
２’，３’−ジデオキシ−３’−アミノ−５−メチル−シチジン（ＡｄｄＭｅＣｙｔ）；
２’，３’−ジデオキシ−３’−フルオロチミジン（ＦｄｄＴｈｄ）；
２’，３’−ジデオキシ−ベータ−Ｌ−５−フルオロシチジン（ベータ−Ｌ−ＦｄｄＣ）；
２’，３’−ジデオキシ−ベータ−Ｌ−５−チアシチジン；
２’，３’−ジデオキシ−ベータ−Ｌ−５−シチジン（ベータ−Ｌ−ｄｄＣ）；
９−（１，３−ジヒドロキシ−２−プロポキシメチル）グアニン；
２’−デオキシ−３’−チア−５−フルオロシトシン；
３’−アミノ−５−メチル−デキソシチジン（ＡｄｄＭｅＣｙｔ）；
２−アミノ−１，９−［（２−ヒドロキシメチル−１−（ヒドロキシメチル）エトキシ）メチル］−６Ｈ−プリン−６−オン（ガンシクロビル）；
２−［２−（２−アミノ−９Ｈ−プリン−９ｙ）エチル］−１，３−プロパンジルジアセテート（ファムシクロビル）；
２−アミノ−１，９−ジヒドロ−９−［（２−ヒドロキシ−エトキシ）メチル］６Ｈ−プリン−６−オン（アシクロビル）；
９−（４−ヒドロキシ−３−ヒドロキシメチル−ブト−１−イル）グアニン（ペンシクロビル）；
９−（４−ヒドロキシ−３−ヒドロキシメチル−ブト−１−イル）−６−デオキシ−グアニン，ジアセテート（ファムシクロビル）；
３’−アジド−３’−デオキシチミジン（ＡＺＴ）；
３’−クロロ−５−メチル−デキソシチジン（ＣｌｄｄＭｅＣｙｔ）；
９−（２−ホスホニル−メトキシエチル）−２’，６’−ジアミノプリン−２’，３’−ジデオキシリボシド；
９−（２−ホスホニルメトキシエチル）アデニン（ＰＭＥＡ）；
三リン酸アシクロビル（ＡＣＶＴＰ）；
Ｄ−カルボサイクリック−２’−デオキシグアノシン（ＣｄＧ）；
ジデオキシ−シチジン；
ジデオキシ−シトシン（ｄｄＣ）；
ジデオキシ−グアニン（ｄｄＧ）；
ジデオキシ−イノシン（ｄｄＩ）；
Ｅ−５−（２−ブロモビニル）−２’−デオキシウリジン三リン酸；
フルオロ−アラビノフラノシル−ヨードウラシル；
１−（２’−デオキシ−２’−フルオロ−１−ベータ−Ｄ−アラビノフラノシル）−５−ヨード−ウラシル（ＦＩＡＵ）；
スタブジン；
９−ベータ−Ｄ−アラビノフラノシル−９Ｈ−プリン−６−アミン・一水和物（Ａｒａ−Ａ）；
９−ベータ−Ｄ−アラビノフラノシル−９Ｈ−プリン−６−アミン−５’−一リン酸・一水和物（Ａｒａ−ＡＭＰ）；
２−デオキシ−３’−チア−５−フルオロシチジン；
２’，３’−ジデオキシ−グアニン；および
２’，３’−ジデオキシ−グアノシン。
【請求項４５】  Ｎ−置換−１，５−ジデオキシ−１，５−イミノ−Ｄ−グルシトール化合物がＮ−（ｎ−ノニル）−１，５−ジデオキシ−１，５−イミノ−Ｄ−グルシトールまたはその医薬的に許容できる塩、Ｎ−（ｎ−ノニル）−１，５−ジデオキシ−１，５−イミノ−Ｄ−グルシトール，テトラブチラートまたはその医薬的に許容できる塩、およびその混合物よりなる群から選択され；かつ
ヌクレオシドまたはヌクレオチド抗ウイルス化合物が（−）−２’−デオキシ−３’−チオシチジン−５’−三リン酸（３ＴＣ）である、
請求項３７記載の組成物。
【請求項４６】  肝炎ウイルス感染症を処置するために用いる請求項３７〜４５のいずれか１項に記載の組成物。
【請求項４７】  第１量の少なくとも１種類の式ＩのＮ−置換−１，５−ジデオキシ−１，５−イミノ−Ｄ−グルシトール化合物またはその医薬的に許容できる塩：
【化６】
2002502875.tif 000006
（式中、
Ｒは、鎖長Ｃ7〜Ｃ20を有する直鎖アルキル；主鎖中に鎖長Ｃ3〜Ｃ20を有する分枝鎖アルキル；アルコキシアルキル、アリールアルキル、およびシクロアルキルアルキルよりなる群から選択され、そして
Ｗ、Ｘ、ＹおよびＺは、それぞれ独立して、水素、アルカノイル、アロイル、およびトリフルオロアルカノイルよりなる群から選択される）；
第２量の、ヌクレオシド抗ウイルス化合物、ヌクレオチド抗ウイルス化合物、免疫調節薬、免疫刺激薬、およびその混合物よりなる群から選択される抗ウイルス化合物；ならびに
医薬的に許容できるキャリヤー、希釈剤または賦形剤
を含み、
その際、第１量の化合物と第２量の化合物が一緒になってそれらの化合物の抗ウイルス有効量を構成する医薬組成物。
【請求項４８】  Ｒが鎖長Ｃ7〜Ｃ20を有する直鎖アルキルであり、かつＷ、Ｘ、ＹおよびＺがそれぞれ水素である、請求項４７記載の医薬組成物。
【請求項４９】  Ｒがノニルである、請求項４８記載の医薬組成物。
【請求項５０】  Ｒが鎖長Ｃ7〜Ｃ20を有する直鎖アルキルであり、かつＷ、Ｘ、ＹおよびＺがそれぞれアルカノイルである、請求項４７記載の医薬組成物。
【請求項５１】  Ｒがノニルである、請求項５０記載の医薬組成物。
【請求項５２】  アルカノイルがブタノイルである、請求項５１記載の医薬組成物。
【請求項５３】  Ｎ−置換−１，５−ジデオキシ−１，５−イミノ−Ｄ−グルシトール化合物が下記よりなる群から選択される、請求項４７記載の医薬組成物：
Ｎ−（ｎ−ヘプチル）−１，５−ジデオキシ−１，５−イミノ−Ｄ−グルシトール；
Ｎ−（ｎ−オクチル）−１，５−ジデオキシ−１，５−イミノ−Ｄ−グルシトール；
Ｎ−（ｎ−ノニル）−１，５−ジデオキシ−１，５−イミノ−Ｄ−グルシトール；
Ｎ−（ｎ−デシル）−１，５−ジデオキシ−１，５−イミノ−Ｄ−グルシトール；
Ｎ−（ｎ−ウンデシル）−１，５−ジデオキシ−１，５−イミノ−Ｄ−グルシトール；
Ｎ−（ｎ−ドデシル）−１，５−ジデオキシ−１，５−イミノ−Ｄ−グルシトール；
Ｎ−（ｎ−トリデシル）−１，５−ジデオキシ−１，５−イミノ−Ｄ−グルシトール；
Ｎ−（ｎ−テトラデシル）−１，５−ジデオキシ−１，５−イミノ−Ｄ−グルシトール；
Ｎ−（ｎ−ペンタデシル）−１，５−ジデオキシ−１，５−イミノ−Ｄ−グルシトール；
Ｎ−（ｎ−ヘキサデシル）−１，５−ジデオキシ−１，５−イミノ−Ｄ−グルシトール；
Ｎ−（ｎ−ヘプタデシル）−１，５−ジデオキシ−１，５−イミノ−Ｄ−グルシトール；
Ｎ−（ｎ−オクタデシル）−１，５−ジデオキシ−１，５−イミノ−Ｄ−グルシトール；
Ｎ−（ｎ−ノナデシル）−１，５−ジデオキシ−１，５−イミノ−Ｄ−グルシトール；
Ｎ−（ｎ−エイコシル）−１，５−ジデオキシ−１，５−イミノ−Ｄ−グルシトール；
Ｎ−（ｎ−ヘプチル）−１，５−ジデオキシ−１，５−イミノ−Ｄ−グルシトール，テトラブチラート；
Ｎ−（ｎ−オクチル）−１，５−ジデオキシ−１，５−イミノ−Ｄ−グルシトール，テトラブチラート；
Ｎ−（ｎ−ノニル）−１，５−ジデオキシ−１，５−イミノ−Ｄ−グルシトール，テトラブチラート；
Ｎ−（ｎ−デシル）−１，５−ジデオキシ−１，５−イミノ−Ｄ−グルシトール，テトラブチラート；
Ｎ−（ｎ−ウンデシル）−１，５−ジデオキシ−１，５−イミノ−Ｄ−グルシトール，テトラブチラート；
Ｎ−（ｎ−ドデシル）−１，５−ジデオキシ−１，５−イミノ−Ｄ−グルシトール，テトラブチラート；
Ｎ−（ｎ−トリデシル）−１，５−ジデオキシ−１，５−イミノ−Ｄ−グルシトール，テトラブチラート；
Ｎ−（ｎ−テトラデシル）−１，５−ジデオキシ−１，５−イミノ−Ｄ−グルシトール，テトラブチラート；
Ｎ−（ｎ−ペンタデシル）−１，５−ジデオキシ−１，５−イミノ−Ｄ−グルシトール，テトラブチラート；
Ｎ−（ｎ−ヘキサデシル）−１，５−ジデオキシ−１，５−イミノ−Ｄ−グルシトール，テトラブチラート；
Ｎ−（ｎ−ヘプタデシル）−１，５−ジデオキシ−１，５−イミノ−Ｄ−グルシトール，テトラブチラート；
Ｎ−（ｎ−オクタデシル）−１，５−ジデオキシ−１，５−イミノ−Ｄ−グルシトール，テトラブチラート；
Ｎ−（ｎ−ノナデシル）−１，５−ジデオキシ−１，５−イミノ−Ｄ−グルシトール，テトラブチラート；
Ｎ−（ｎ−エイコシル）−１，５−ジデオキシ−１，５−イミノ−Ｄ−グルシトール，テトラブチラート；
Ｎ−（２−エチルヘキシル）−１，５−ジデオキシ−１，５−イミノ−Ｄ−グルシトール；
Ｎ−（４−エチルヘキシル）−１，５−ジデオキシ−１，５−イミノ−Ｄ−グルシトール；
Ｎ−（５−メチルヘキシル）−１，５−ジデオキシ−１，５−イミノ−Ｄ−グルシトール；
Ｎ−（３−プロピルヘキシル）−１，５−ジデオキシ−１，５−イミノ−Ｄ−グルシトール；
Ｎ−（１−ペンチルペンチルヘキシル）−１，５−ジデオキシ−１，５−イミノ−Ｄ−グルシトール；
Ｎ−（１−ブチルブチル）−１，５−ジデオキシ−１，５−イミノ−Ｄ−グルシトール；
Ｎ−（７−メチルオクチル）−１，５−ジデオキシ−１，５−イミノ−Ｄ−グルシトール；
Ｎ−（８−メチルノニル）−１，５−ジデオキシ−１，５−イミノ−Ｄ−グルシトール；
Ｎ−（９−メチルデシル）−１，５−ジデオキシ−１，５−イミノ−Ｄ−グルシトール；
Ｎ−（１０−メチルウンデシル）−１，５−ジデオキシ−１，５−イミノ−Ｄ−グルシトール；
Ｎ−（６−シクロヘキシルヘキシル）−１，５−ジデオキシ−１，５−イミノ−Ｄ−グルシトール；
Ｎ−（４−シクロヘキシルブチル）−１，５−ジデオキシ−１，５−イミノ−Ｄ−グルシトール；
Ｎ−（２−シクロヘキシルエチル）−１，５−ジデオキシ−１，５−イミノ−Ｄ−グルシトール；
Ｎ−（１−シクロヘキシルメチル）−１，５−ジデオキシ−１，５−イミノ−Ｄ−グルシトール；
Ｎ−（１−フェニルメチル）−１，５−ジデオキシ−１，５−イミノ−Ｄ−グルシトール；
Ｎ−（３−フェニルプロピル）−１，５−ジデオキシ−１，５−イミノ−Ｄ−グルシトール；
Ｎ−（３−（４−メチル）−フェニルプロピル）−１，５−ジデオキシ−１，５−イミノ−Ｄ−グルシトール；
Ｎ−（６−フェニルヘキシル）−１，５−ジデオキシ−１，５−イミノ−Ｄ−グルシトール；
Ｎ−（２−エチルヘキシル）−１，５−ジデオキシ−１，５−イミノ−Ｄ−グルシトール，テトラブチラート；
Ｎ−（４−エチルヘキシル）−１，５−ジデオキシ−１，５−イミノ−Ｄ−グルシトール，テトラブチラート；
Ｎ−（５−メチルヘキシル）−１，５−ジデオキシ−１，５−イミノ−Ｄ−グルシトール，テトラブチラート；
Ｎ−（３−プロピルヘキシル）−１，５−ジデオキシ−１，５−イミノ−Ｄ−グルシトール，テトラブチラート；
Ｎ−（１−ペンチルペンチルヘキシル）−１，５−ジデオキシ−１，５−イミノ−Ｄ−グルシトール，テトラブチラート；
Ｎ−（１−ブチルブチル）−１，５−ジデオキシ−１，５−イミノ−Ｄ−グルシトール，テトラブチラート；
Ｎ−（７−メチルオクチル）−１，５−ジデオキシ−１，５−イミノ−Ｄ−グルシトール，テトラブチラート；
Ｎ−（８−メチルノニル）−１，５−ジデオキシ−１，５−イミノ−Ｄ−グルシトール，テトラブチラート；
Ｎ−（９−メチルデシル）−１，５−ジデオキシ−１，５−イミノ−Ｄ−グルシトール，テトラブチラート；
Ｎ−（１０−メチルウンデシル）−１，５−ジデオキシ−１，５−イミノ−Ｄ−グルシトール，テトラブチラート；
Ｎ−（６−シクロヘキシルヘキシル）−１，５−ジデオキシ−１，５−イミノ−Ｄ−グルシトール，テトラブチラート；
Ｎ−（４−シクロヘキシルブチル）−１，５−ジデオキシ−１，５−イミノ−Ｄ−グルシトール，テトラブチラート；
Ｎ−（２−シクロヘキシルエチル）−１，５−ジデオキシ−１，５−イミノ−Ｄ−グルシトール，テトラブチラート；
Ｎ−（１−シクロヘキシルメチル）−１，５−ジデオキシ−１，５−イミノ−Ｄ−グルシトール，テトラブチラート；
Ｎ−（１−フェニルメチル）−１，５−ジデオキシ−１，５−イミノ−Ｄ−グルシトール，テトラブチラート；
Ｎ−（３−フェニルプロピル）−１，５−ジデオキシ−１，５−イミノ−Ｄ−グルシトール，テトラブチラート；
Ｎ−（３−（４−メチル）−フェニルプロピル）−１，５−ジデオキシ−１，５−イミノ−Ｄ−グルシトール，テトラブチラート；
Ｎ−（６−フェニルヘキシル）−１，５−ジデオキシ−１，５−イミノ−Ｄ−グルシトール，テトラブチラート；
Ｎ−（７−オキサ−ｎ−デシル）−１，５−ジデオキシ−１，５−イミノ−Ｄ−グルシトール；
Ｎ−（７−オキサ−ｎ−デシル）−１，５−ジデオキシ−１，５−イミノ−Ｄ−グルシトール，テトラブチラート；
Ｎ−（７−オキサ−ｎ−デシル）−１，５−ジデオキシ−１，５−イミノ−Ｄ−グルシトール，テトラアセテート；
Ｎ−（３−オキサ−ｎ−デシル）−１，５−ジデオキシ−１，５−イミノ−Ｄ−グルシトール；
Ｎ−（９−オキサ−ｎ−デシル）−１，５−ジデオキシ−１，５−イミノ−Ｄ−グルシトール；
Ｎ−（７−オキサ−ｎ−ノニル）−１，５−ジデオキシ−１，５−イミノ−Ｄ−グルシトール；
Ｎ−（３−オキサ−ｎ−ノニル）−１，５−ジデオキシ−１，５−イミノ−Ｄ−グルシトール，テトラアセテート；
Ｎ−（３−オキサ−ｎ−ノニル）−１，５−ジデオキシ−１，５−イミノ−Ｄ−グルシトール；および
Ｎ−（７，１０，１３−トリオキサ−ｎ−テトラデシル）−１，５−ジデオキシ−１，５−イミノ−Ｄ−グルシトール。
【請求項５４】  ヌクレオシドまたはヌクレオチド抗ウイルス化合物が下記よりなる群から選択される、請求項４７記載の医薬組成物：
（＋）−ｃｉｓ−５−フルオロ−１−［２−（ヒドロキシ−メチル）−［１，３−オキサチオラン−５−イル］シトシン；
（−）−２’−デオキシ−３’−チオシチジン−５’−三リン酸（３ＴＣ）；
（−）−ｃｉｓ−５−フルオロ−１−［２−（ヒドロキシ−メチル）−［１，３−オキサチオラン−５−イル］シトシン（ＦＴＣ）；
（−）２’，３’，ジデオキシ−３’−チアシチジン［（−）−ＳｄｄＣ］；
１−（２’−デオキシ−２’−フルオロ−ベータ−Ｄ−アラビノフラノシル）−５−ヨードシトシン（ＦＩＡＣ）；
１−（２’−デオキシ−２’−フルオロ−ベータ−Ｄ−アラビノフラノシル）−５−ヨードシトシン三リン酸（ＦＩＡＣＴＰ）；
１−（２’−デオキシ−２’−フルオロ−ベータ−Ｄ−アラビノフラノシル）−５−メチルウラシル（ＦＭＡＵ）；
１−ベータ−Ｄ−リボフラノシル−１，２，４−トリアゾール−３−カルボキシアミド；
２’，３’−ジデオキシ−３’−フルオロ−５−メチル−デキソシチジン（ＦｄｄＭｅＣｙｔ）；
２’，３’−ジデオキシ−３’−クロロ−５−メチル−デキソシチジン（ＣｌｄｄＭｅＣｙｔ）；
２’，３’−ジデオキシ−３’−アミノ−５−メチル−デキソシチジン（ＡｄｄＭｅＣｙｔ）；
２’，３’−ジデオキシ−３’−フルオロ−５−メチル−シチジン（ＦｄｄＭｅＣｙｔ）；
２’，３’−ジデオキシ−３’−クロロ−５−メチル−シチジン（ＣｌｄｄＭｅＣｙｔ）；
２’，３’−ジデオキシ−３’−アミノ−５−メチル−シチジン（ＡｄｄＭｅＣｙｔ）；
２’，３’−ジデオキシ−３’−フルオロチミジン（ＦｄｄＴｈｄ）；
２’，３’−ジデオキシ−ベータ−Ｌ−５−フルオロシチジン（ベータ−Ｌ−ＦｄｄＣ）；
２’，３’−ジデオキシ−ベータ−Ｌ−５−チアシチジン；
２’，３’−ジデオキシ−ベータ−Ｌ−５−シチジン（ベータ−Ｌ−ｄｄＣ）；
９−（１，３−ジヒドロキシ−２−プロポキシメチル）グアニン；
２’−デオキシ−３’−チア−５−フルオロシトシン；
３’−アミノ−５−メチル−デキソシチジン（ＡｄｄＭｅＣｙｔ）；
２−アミノ−１，９−［（２−ヒドロキシメチル−１−（ヒドロキシメチル）エトキシ）メチル］−６Ｈ−プリン−６−オン（ガンシクロビル）；
２−［２−（２−アミノ−９Ｈ−プリン−９ｙ）エチル］−１，３−プロパンジルジアセテート（ファムシクロビル）；
２−アミノ−１，９−ジヒドロ−９−［（２−ヒドロキシ−エトキシ）メチル］６Ｈ−プリン−６−オン（アシクロビル）；
９−（４−ヒドロキシ−３−ヒドロキシメチル−ブト−１−イル）グアニン（ペンシクロビル）；
９−（４−ヒドロキシ−３−ヒドロキシメチル−ブト−１−イル）−６−デオキシ−グアニン，ジアセテート（ファムシクロビル）；
３’−アジド−３’−デオキシチミジン（ＡＺＴ）；
３’−クロロ−５−メチル−デキソシチジン（ＣｌｄｄＭｅＣｙｔ）；
９−（２−ホスホニル−メトキシエチル）−２’，６’−ジアミノプリン−２’，３’−ジデオキシリボシド；
９−（２−ホスホニルメトキシエチル）アデニン（ＰＭＥＡ）；
三リン酸アシクロビル（ＡＣＶＴＰ）；
Ｄ−カルボサイクリック−２’−デオキシグアノシン（ＣｄＧ）；
ジデオキシ−シチジン；
ジデオキシ−シトシン（ｄｄＣ）；
ジデオキシ−グアニン（ｄｄＧ）；
ジデオキシ−イノシン（ｄｄＩ）；
Ｅ−５−（２−ブロモビニル）−２’−デオキシウリジン三リン酸；
フルオロ−アラビノフラノシル−ヨードウラシル；
１−（２’−デオキシ−２’−フルオロ−１−ベータ−Ｄ−アラビノフラノシル）−５−ヨード−ウラシル（ＦＩＡＵ）；
スタブジン；
９−ベータ−Ｄ−アラビノフラノシル−９Ｈ−プリン−６−アミン・一水和物（Ａｒａ−Ａ）；
９−ベータ−Ｄ−アラビノフラノシル−９Ｈ−プリン−６−アミン−５’−一リン酸・一水和物（Ａｒａ−ＡＭＰ）；
２−デオキシ−３’−チア−５−フルオロシチジン；
２’，３’−ジデオキシ−グアニン；および
２’，３’−ジデオキシ−グアノシン。
【請求項５５】  Ｎ−置換−１，５−ジデオキシ−１，５−イミノ−Ｄ−グルシトール化合物がＮ−（ｎ−ノニル）−１，５−ジデオキシ−１，５−イミノ−Ｄ−グルシトールまたはその医薬的に許容できる塩、Ｎ−（ｎ−ノニル）−１，５−ジデオキシ−１，５−イミノ−Ｄ−グルシトール，テトラブチラートまたはその医薬的に許容できる塩、およびその混合物よりなる群から選択され；かつ
ヌクレオシドまたはヌクレオチド抗ウイルス化合物が（−）−２’−デオキシ−３’−チオシチジン−５’−三リン酸（３ＴＣ）である、
請求項４７記載の医薬組成物。
【請求項５６】  肝炎ウイルス感染症を処置するために用いる請求項４７〜５５のいずれか１項に記載の医薬組成物。
【請求項５７】  哺乳動物においてＢ型肝炎ウイルス感染症を処置するための医薬組成物であって、
約０．１〜約１００ｍｇの少なくとも１種類の式ＩのＮ−置換−１，５−ジデオキシ−１，５−イミノ−Ｄ−グルシトール化合物またはその医薬的に許容できる塩：
【化７】
2002502875.tif 000007
（式中、
Ｒは、鎖長Ｃ7〜Ｃ20を有する直鎖アルキル；主鎖中に鎖長Ｃ3〜Ｃ20を有する分枝鎖アルキル；アルコキシアルキル、アリールアルキル、およびシクロアルキルアルキルよりなる群から選択され、そして
Ｗ、Ｘ、ＹおよびＺは、それぞれ独立して、水素、アルカノイル、アロイル、およびトリフルオロアルカノイルよりなる群から選択される）；
約０．１〜約５００ｍｇの、ヌクレオシド抗ウイルス化合物、ヌクレオチド抗ウイルス化合物、およびその混合物よりなる群から選択される化合物；ならびに
医薬的に許容できるキャリヤー、希釈剤または賦形剤
を含む医薬組成物。
【請求項５８】  Ｒが鎖長Ｃ7〜Ｃ20を有する直鎖アルキルであり、かつＷ、Ｘ、ＹおよびＺがそれぞれ水素である、請求項５７記載の医薬組成物。
【請求項５９】  Ｒがノニルである、請求項５８記載の医薬組成物。
【請求項６０】  Ｒが鎖長Ｃ7〜Ｃ20を有する直鎖アルキルであり、かつＷ、Ｘ、ＹおよびＺがそれぞれアルカノイルである、請求項５７記載の医薬組成物。
【請求項６１】  Ｒがノニルである、請求項６０記載の医薬組成物。
【請求項６２】  アルカノイルがブタノイルである、請求項６１記載の医薬組成物。
【請求項６３】  Ｎ−置換−１，５−ジデオキシ−１，５−イミノ−Ｄ−グルシトール化合物が下記よりなる群から選択される、請求項５７記載の医薬組成物：
Ｎ−（ｎ−ヘプチル）−１，５−ジデオキシ−１，５−イミノ−Ｄ−グルシトール；
Ｎ−（ｎ−オクチル）−１，５−ジデオキシ−１，５−イミノ−Ｄ−グルシトール；
Ｎ−（ｎ−ノニル）−１，５−ジデオキシ−１，５−イミノ−Ｄ−グルシトール；
Ｎ−（ｎ−デシル）−１，５−ジデオキシ−１，５−イミノ−Ｄ−グルシトール；
Ｎ−（ｎ−ウンデシル）−１，５−ジデオキシ−１，５−イミノ−Ｄ−グルシトール；
Ｎ−（ｎ−ドデシル）−１，５−ジデオキシ−１，５−イミノ−Ｄ−グルシトール；
Ｎ−（ｎ−トリデシル）−１，５−ジデオキシ−１，５−イミノ−Ｄ−グルシトール；
Ｎ−（ｎ−テトラデシル）−１，５−ジデオキシ−１，５−イミノ−Ｄ−グルシトール；
Ｎ−（ｎ−ペンタデシル）−１，５−ジデオキシ−１，５−イミノ−Ｄ−グルシトール；
Ｎ−（ｎ−ヘキサデシル）−１，５−ジデオキシ−１，５−イミノ−Ｄ−グルシトール；
Ｎ−（ｎ−ヘプタデシル）−１，５−ジデオキシ−１，５−イミノ−Ｄ−グルシトール；
Ｎ−（ｎ−オクタデシル）−１，５−ジデオキシ−１，５−イミノ−Ｄ−グルシトール；
Ｎ−（ｎ−ノナデシル）−１，５−ジデオキシ−１，５−イミノ−Ｄ−グルシトール；
Ｎ−（ｎ−エイコシル）−１，５−ジデオキシ−１，５−イミノ−Ｄ−グルシトール；
Ｎ−（ｎ−ヘプチル）−１，５−ジデオキシ−１，５−イミノ−Ｄ−グルシトール，テトラブチラート；
Ｎ−（ｎ−オクチル）−１，５−ジデオキシ−１，５−イミノ−Ｄ−グルシトール，テトラブチラート；
Ｎ−（ｎ−ノニル）−１，５−ジデオキシ−１，５−イミノ−Ｄ−グルシトール，テトラブチラート；
Ｎ−（ｎ−デシル）−１，５−ジデオキシ−１，５−イミノ−Ｄ−グルシトール，テトラブチラート；
Ｎ−（ｎ−ウンデシル）−１，５−ジデオキシ−１，５−イミノ−Ｄ−グルシトール，テトラブチラート；
Ｎ−（ｎ−ドデシル）−１，５−ジデオキシ−１，５−イミノ−Ｄ−グルシトール，テトラブチラート；
Ｎ−（ｎ−トリデシル）−１，５−ジデオキシ−１，５−イミノ−Ｄ−グルシトール，テトラブチラート；
Ｎ−（ｎ−テトラデシル）−１，５−ジデオキシ−１，５−イミノ−Ｄ−グルシトール，テトラブチラート；
Ｎ−（ｎ−ペンタデシル）−１，５−ジデオキシ−１，５−イミノ−Ｄ−グルシトール，テトラブチラート；
Ｎ−（ｎ−ヘキサデシル）−１，５−ジデオキシ−１，５−イミノ−Ｄ−グルシトール，テトラブチラート；
Ｎ−（ｎ−ヘプタデシル）−１，５−ジデオキシ−１，５−イミノ−Ｄ−グルシトール，テトラブチラート；
Ｎ−（ｎ−オクタデシル）−１，５−ジデオキシ−１，５−イミノ−Ｄ−グルシトール，テトラブチラート；
Ｎ−（ｎ−ノナデシル）−１，５−ジデオキシ−１，５−イミノ−Ｄ−グルシトール，テトラブチラート；
Ｎ−（ｎ−エイコシル）−１，５−ジデオキシ−１，５−イミノ−Ｄ−グルシトール，テトラブチラート；
Ｎ−（２−エチルヘキシル）−１，５−ジデオキシ−１，５−イミノ−Ｄ−グルシトール；
Ｎ−（４−エチルヘキシル）−１，５−ジデオキシ−１，５−イミノ−Ｄ−グルシトール；
Ｎ−（５−メチルヘキシル）−１，５−ジデオキシ−１，５−イミノ−Ｄ−グルシトール；
Ｎ−（３−プロピルヘキシル）−１，５−ジデオキシ−１，５−イミノ−Ｄ−グルシトール；
Ｎ−（１−ペンチルペンチルヘキシル）−１，５−ジデオキシ−１，５−イミノ−Ｄ−グルシトール；
Ｎ−（１−ブチルブチル）−１，５−ジデオキシ−１，５−イミノ−Ｄ−グルシトール；
Ｎ−（７−メチルオクチル）−１，５−ジデオキシ−１，５−イミノ−Ｄ−グルシトール；
Ｎ−（８−メチルノニル）−１，５−ジデオキシ−１，５−イミノ−Ｄ−グルシトール；
Ｎ−（９−メチルデシル）−１，５−ジデオキシ−１，５−イミノ−Ｄ−グルシトール；
Ｎ−（１０−メチルウンデシル）−１，５−ジデオキシ−１，５−イミノ−Ｄ−グルシトール；
Ｎ−（６−シクロヘキシルヘキシル）−１，５−ジデオキシ−１，５−イミノ−Ｄ−グルシトール；
Ｎ−（４−シクロヘキシルブチル）−１，５−ジデオキシ−１，５−イミノ−Ｄ−グルシトール；
Ｎ−（２−シクロヘキシルエチル）−１，５−ジデオキシ−１，５−イミノ−Ｄ−グルシトール；
Ｎ−（１−シクロヘキシルメチル）−１，５−ジデオキシ−１，５−イミノ−Ｄ−グルシトール；
Ｎ−（１−フェニルメチル）−１，５−ジデオキシ−１，５−イミノ−Ｄ−グルシトール；
Ｎ−（３−フェニルプロピル）−１，５−ジデオキシ−１，５−イミノ−Ｄ−グルシトール；
Ｎ−（３−（４−メチル）−フェニルプロピル）−１，５−ジデオキシ−１，５−イミノ−Ｄ−グルシトール；
Ｎ−（６−フェニルヘキシル）−１，５−ジデオキシ−１，５−イミノ−Ｄ−グルシトール；
Ｎ−（２−エチルヘキシル）−１，５−ジデオキシ−１，５−イミノ−Ｄ−グルシトール，テトラブチラート；
Ｎ−（４−エチルヘキシル）−１，５−ジデオキシ−１，５−イミノ−Ｄ−グルシトール，テトラブチラート；
Ｎ−（５−メチルヘキシル）−１，５−ジデオキシ−１，５−イミノ−Ｄ−グルシトール，テトラブチラート；
Ｎ−（３−プロピルヘキシル）−１，５−ジデオキシ−１，５−イミノ−Ｄ−グルシトール，テトラブチラート；
Ｎ−（１−ペンチルペンチルヘキシル）−１，５−ジデオキシ−１，５−イミノ−Ｄ−グルシトール，テトラブチラート；
Ｎ−（１−ブチルブチル）−１，５−ジデオキシ−１，５−イミノ−Ｄ−グルシトール，テトラブチラート；
Ｎ−（７−メチルオクチル）−１，５−ジデオキシ−１，５−イミノ−Ｄ−グルシトール，テトラブチラート；
Ｎ−（８−メチルノニル）−１，５−ジデオキシ−１，５−イミノ−Ｄ−グルシトール，テトラブチラート；
Ｎ−（９−メチルデシル）−１，５−ジデオキシ−１，５−イミノ−Ｄ−グルシトール，テトラブチラート；
Ｎ−（１０−メチルウンデシル）−１，５−ジデオキシ−１，５−イミノ−Ｄ−グルシトール，テトラブチラート；
Ｎ−（６−シクロヘキシルヘキシル）−１，５−ジデオキシ−１，５−イミノ−Ｄ−グルシトール，テトラブチラート；
Ｎ−（４−シクロヘキシルブチル）−１，５−ジデオキシ−１，５−イミノ−Ｄ−グルシトール，テトラブチラート；
Ｎ−（２−シクロヘキシルエチル）−１，５−ジデオキシ−１，５−イミノ−Ｄ−グルシトール，テトラブチラート；
Ｎ−（１−シクロヘキシルメチル）−１，５−ジデオキシ−１，５−イミノ−Ｄ−グルシトール，テトラブチラート；
Ｎ−（１−フェニルメチル）−１，５−ジデオキシ−１，５−イミノ−Ｄ−グルシトール，テトラブチラート；
Ｎ−（３−フェニルプロピル）−１，５−ジデオキシ−１，５−イミノ−Ｄ−グルシトール，テトラブチラート；
Ｎ−（３−（４−メチル）−フェニルプロピル）−１，５−ジデオキシ−１，５−イミノ−Ｄ−グルシトール，テトラブチラート；
Ｎ−（６−フェニルヘキシル）−１，５−ジデオキシ−１，５−イミノ−Ｄ−グルシトール，テトラブチラート；
Ｎ−（７−オキサ−ｎ−デシル）−１，５−ジデオキシ−１，５−イミノ−Ｄ−グルシトール；
Ｎ−（７−オキサ−ｎ−デシル）−１，５−ジデオキシ−１，５−イミノ−Ｄ−グルシトール，テトラブチラート；
Ｎ−（７−オキサ−ｎ−デシル）−１，５−ジデオキシ−１，５−イミノ−Ｄ−グルシトール，テトラアセテート；
Ｎ−（３−オキサ−ｎ−デシル）−１，５−ジデオキシ−１，５−イミノ−Ｄ−グルシトール；
Ｎ−（９−オキサ−ｎ−デシル）−１，５−ジデオキシ−１，５−イミノ−Ｄ−グルシトール；
Ｎ−（７−オキサ−ｎ−ノニル）−１，５−ジデオキシ−１，５−イミノ−Ｄ−グルシトール；
Ｎ−（３−オキサ−ｎ−ノニル）−１，５−ジデオキシ−１，５−イミノ−Ｄ−グルシトール，テトラアセテート；
Ｎ−（３−オキサ−ｎ−ノニル）−１，５−ジデオキシ−１，５−イミノ−Ｄ−グルシトール；および
Ｎ−（７，１０，１３−トリオキサ−ｎ−テトラデシル）−１，５−ジデオキシ−１，５−イミノ−Ｄ−グルシトール。
【請求項６４】  ヌクレオシドまたはヌクレオチド抗ウイルス化合物が下記よりなる群から選択される、請求項５７記載の医薬組成物：
（＋）−ｃｉｓ−５−フルオロ−１−［２−（ヒドロキシ−メチル）−［１，３−オキサチオラン−５−イル］シトシン；
（−）−２’−デオキシ−３’−チオシチジン−５’−三リン酸（３ＴＣ）；
（−）−ｃｉｓ−５−フルオロ−１−［２−（ヒドロキシ−メチル）−［１，３−オキサチオラン−５−イル］シトシン（ＦＴＣ）；
（−）２’，３’，ジデオキシ−３’−チアシチジン［（−）−ＳｄｄＣ］；
１−（２’−デオキシ−２’−フルオロ−ベータ−Ｄ−アラビノフラノシル）−５−ヨードシトシン（ＦＩＡＣ）；
１−（２’−デオキシ−２’−フルオロ−ベータ−Ｄ−アラビノフラノシル）−５−ヨードシトシン三リン酸（ＦＩＡＣＴＰ）；
１−（２’−デオキシ−２’−フルオロ−ベータ−Ｄ−アラビノフラノシル）−５−メチルウラシル（ＦＭＡＵ）；
１−ベータ−Ｄ−リボフラノシル−１，２，４−トリアゾール−３−カルボキシアミド；
２’，３’−ジデオキシ−３’−フルオロ−５−メチル−デキソシチジン（ＦｄｄＭｅＣｙｔ）；
２’，３’−ジデオキシ−３’−クロロ−５−メチル−デキソシチジン（ＣｌｄｄＭｅＣｙｔ）；
２’，３’−ジデオキシ−３’−アミノ−５−メチル−デキソシチジン（ＡｄｄＭｅＣｙｔ）；
２’，３’−ジデオキシ−３’−フルオロ−５−メチル−シチジン（ＦｄｄＭｅＣｙｔ）；
２’，３’−ジデオキシ−３’−クロロ−５−メチル−シチジン（ＣｌｄｄＭｅＣｙｔ）；
２’，３’−ジデオキシ−３’−アミノ−５−メチル−シチジン（ＡｄｄＭｅＣｙｔ）；
２’，３’−ジデオキシ−３’−フルオロチミジン（ＦｄｄＴｈｄ）；
２’，３’−ジデオキシ−ベータ−Ｌ−５−フルオロシチジン（ベータ−Ｌ−ＦｄｄＣ）；
２’，３’−ジデオキシ−ベータ−Ｌ−５−チアシチジン；
２’，３’−ジデオキシ−ベータ−Ｌ−５−シチジン（ベータ−Ｌ−ｄｄＣ）；
９−（１，３−ジヒドロキシ−２−プロポキシメチル）グアニン；
２’−デオキシ−３’−チア−５−フルオロシトシン；
３’−アミノ−５−メチル−デキソシチジン（ＡｄｄＭｅＣｙｔ）；
２−アミノ−１，９−［（２−ヒドロキシメチル−１−（ヒドロキシメチル）エトキシ）メチル］−６Ｈ−プリン−６−オン（ガンシクロビル）；
２−［２−（２−アミノ−９Ｈ−プリン−９ｙ）エチル］−１，３−プロパンジルジアセテート（ファムシクロビル）；
２−アミノ−１，９−ジヒドロ−９−［（２−ヒドロキシ−エトキシ）メチル］６Ｈ−プリン−６−オン（アシクロビル）；
９−（４−ヒドロキシ−３−ヒドロキシメチル−ブト−１−イル）グアニン（ペンシクロビル）；
９−（４−ヒドロキシ−３−ヒドロキシメチル−ブト−１−イル）−６−デオキシ−グアニン，ジアセテート（ファムシクロビル）；
３’−アジド−３’−デオキシチミジン（ＡＺＴ）；
３’−クロロ−５−メチル−デキソシチジン（ＣｌｄｄＭｅＣｙｔ）；
９−（２−ホスホニル−メトキシエチル）−２’，６’−ジアミノプリン−２’，３’−ジデオキシリボシド；
９−（２−ホスホニルメトキシエチル）アデニン（ＰＭＥＡ）；
三リン酸アシクロビル（ＡＣＶＴＰ）；
Ｄ−カルボサイクリック−２’−デオキシグアノシン（ＣｄＧ）；
ジデオキシ−シチジン；
ジデオキシ−シトシン（ｄｄＣ）；
ジデオキシ−グアニン（ｄｄＧ）；
ジデオキシ−イノシン（ｄｄＩ）；
Ｅ−５−（２−ブロモビニル）−２’−デオキシウリジン三リン酸；
フルオロ−アラビノフラノシル−ヨードウラシル；
１−（２’−デオキシ−２’−フルオロ−１−ベータ−Ｄ−アラビノフラノシル）−５−ヨード−ウラシル（ＦＩＡＵ）；
スタブジン；
９−ベータ−Ｄ−アラビノフラノシル−９Ｈ−プリン−６−アミン・一水和物（Ａｒａ−Ａ）；
９−ベータ−Ｄ−アラビノフラノシル−９Ｈ−プリン−６−アミン−５’−一リン酸・一水和物（Ａｒａ−ＡＭＰ）；
２−デオキシ−３’−チア−５−フルオロシチジン；
２’，３’−ジデオキシ−グアニン；および
２’，３’−ジデオキシ−グアノシン。
【請求項６５】  Ｎ−置換−１，５−ジデオキシ−１，５−イミノ−Ｄ−グルシトール化合物がＮ−（ｎ−ノニル）−１，５−ジデオキシ−１，５−イミノ−Ｄ−グルシトールまたはその医薬的に許容できる塩、Ｎ−（ｎ−ノニル）−１，５−ジデオキシ−１，５−イミノ−Ｄ−グルシトール，テトラブチラートまたはその医薬的に許容できる塩、およびその混合物よりなる群から選択され；かつ
ヌクレオシドまたはヌクレオチド抗ウイルス化合物が（−）−２’−デオキシ−３’−チオシチジン−５’−三リン酸（３ＴＣ）である、
請求項５７記載の医薬組成物。
【請求項６６】  ヒト患者においてＢ型肝炎ウイルス感染症を処置するための医薬組成物であって、
約０．１〜約１００ｍｇの、Ｎ−（ｎ−ノニル）−１，５−ジデオキシ−１，５−イミノ−Ｄ−グルシトールまたはその医薬的に許容できる塩、Ｎ−（ｎ−ノニル）−１，５−ジデオキシ−１，５−イミノ−Ｄ−グルシトール，テトラブチラートまたはその医薬的に許容できる塩、およびその混合物よりなる群から選択されるＮ−置換−１，５−ジデオキシ−１，５−イミノ−Ｄ−グルシトール化合物；
約０．１〜約５００ｍｇの（−）−２’−デオキシ−３’−チオシチジン−５’−三リン酸；ならびに
医薬的に許容できるキャリヤー、希釈剤または賦形剤
を含む医薬組成物。
【請求項６７】  式ＩのＮ−置換−１，５−ジデオキシ−１，５−イミノ−Ｄ−グルシトール化合物：
【化８】
2002502875.tif 000008
（式中、
Ｒは、鎖長Ｃ7〜Ｃ20を有する直鎖アルキル；主鎖中に鎖長Ｃ3〜Ｃ20を有する分枝鎖アルキル；アルコキシアルキル、アリールアルキル、およびシクロアルキルアルキルよりなる群から選択され、そして
Ｗ、Ｘ、ＹおよびＺは、それぞれ独立して、水素、アルカノイル、アロイル、およびトリフルオロアルカノイルよりなる群から選択される）；ならびに
酸性部分を有するヌクレオシドおよびヌクレオチドよりなる群から選択される化合物
を含む塩。
【請求項６８】  Ｒが鎖長Ｃ7〜Ｃ20を有する直鎖アルキルであり、かつＷ、Ｘ、ＹおよびＺがそれぞれ水素である、請求項６７記載の塩。
【請求項６９】  Ｒがノニルである、請求項６８記載の塩。
【請求項７０】  Ｒが鎖長Ｃ7〜Ｃ20を有する直鎖アルキルであり、かつＷ、Ｘ、ＹおよびＺがそれぞれアルカノイルである、請求項６７記載の塩。
【請求項７１】  Ｒがノニルである、請求項７０記載の塩。
【請求項７２】  アルカノイルがブタノイルである、請求項７１記載の塩。
【請求項７３】  Ｎ−置換−１，５−ジデオキシ−１，５−イミノ−Ｄ−グルシトール化合物が下記よりなる群から選択される、請求項６７記載の塩：
Ｎ−（ｎ−ヘプチル）−１，５−ジデオキシ−１，５−イミノ−Ｄ−グルシトール；
Ｎ−（ｎ−オクチル）−１，５−ジデオキシ−１，５−イミノ−Ｄ−グルシトール；
Ｎ−（ｎ−ノニル）−１，５−ジデオキシ−１，５−イミノ−Ｄ−グルシトール；
Ｎ−（ｎ−デシル）−１，５−ジデオキシ−１，５−イミノ−Ｄ−グルシトール；
Ｎ−（ｎ−ウンデシル）−１，５−ジデオキシ−１，５−イミノ−Ｄ−グルシトール；
Ｎ−（ｎ−ドデシル）−１，５−ジデオキシ−１，５−イミノ−Ｄ−グルシトール；
Ｎ−（ｎ−トリデシル）−１，５−ジデオキシ−１，５−イミノ−Ｄ−グルシトール；
Ｎ−（ｎ−テトラデシル）−１，５−ジデオキシ−１，５−イミノ−Ｄ−グルシトール；
Ｎ−（ｎ−ペンタデシル）−１，５−ジデオキシ−１，５−イミノ−Ｄ−グルシトール；
Ｎ−（ｎ−ヘキサデシル）−１，５−ジデオキシ−１，５−イミノ−Ｄ−グルシトール；
Ｎ−（ｎ−ヘプタデシル）−１，５−ジデオキシ−１，５−イミノ−Ｄ−グルシトール；
Ｎ−（ｎ−オクタデシル）−１，５−ジデオキシ−１，５−イミノ−Ｄ−グルシトール；
Ｎ−（ｎ−ノナデシル）−１，５−ジデオキシ−１，５−イミノ−Ｄ−グルシトール；
Ｎ−（ｎ−エイコシル）−１，５−ジデオキシ−１，５−イミノ−Ｄ−グルシトール；
Ｎ−（ｎ−ヘプチル）−１，５−ジデオキシ−１，５−イミノ−Ｄ−グルシトール，テトラブチラート；
Ｎ−（ｎ−オクチル）−１，５−ジデオキシ−１，５−イミノ−Ｄ−グルシトール，テトラブチラート；
Ｎ−（ｎ−ノニル）−１，５−ジデオキシ−１，５−イミノ−Ｄ−グルシトール，テトラブチラート；
Ｎ−（ｎ−デシル）−１，５−ジデオキシ−１，５−イミノ−Ｄ−グルシトール，テトラブチラート；
Ｎ−（ｎ−ウンデシル）−１，５−ジデオキシ−１，５−イミノ−Ｄ−グルシトール，テトラブチラート；
Ｎ−（ｎ−ドデシル）−１，５−ジデオキシ−１，５−イミノ−Ｄ−グルシトール，テトラブチラート；
Ｎ−（ｎ−トリデシル）−１，５−ジデオキシ−１，５−イミノ−Ｄ−グルシトール，テトラブチラート；
Ｎ−（ｎ−テトラデシル）−１，５−ジデオキシ−１，５−イミノ−Ｄ−グルシトール，テトラブチラート；
Ｎ−（ｎ−ペンタデシル）−１，５−ジデオキシ−１，５−イミノ−Ｄ−グルシトール，テトラブチラート；
Ｎ−（ｎ−ヘキサデシル）−１，５−ジデオキシ−１，５−イミノ−Ｄ−グルシトール，テトラブチラート；
Ｎ−（ｎ−ヘプタデシル）−１，５−ジデオキシ−１，５−イミノ−Ｄ−グルシトール，テトラブチラート；
Ｎ−（ｎ−オクタデシル）−１，５−ジデオキシ−１，５−イミノ−Ｄ−グルシトール，テトラブチラート；
Ｎ−（ｎ−ノナデシル）−１，５−ジデオキシ−１，５−イミノ−Ｄ−グルシトール，テトラブチラート；
Ｎ−（ｎ−エイコシル）−１，５−ジデオキシ−１，５−イミノ−Ｄ−グルシトール，テトラブチラート；
Ｎ−（２−エチルヘキシル）−１，５−ジデオキシ−１，５−イミノ−Ｄ−グルシトール；
Ｎ−（４−エチルヘキシル）−１，５−ジデオキシ−１，５−イミノ−Ｄ−グルシトール；
Ｎ−（５−メチルヘキシル）−１，５−ジデオキシ−１，５−イミノ−Ｄ−グルシトール；
Ｎ−（３−プロピルヘキシル）−１，５−ジデオキシ−１，５−イミノ−Ｄ−グルシトール；
Ｎ−（１−ペンチルペンチルヘキシル）−１，５−ジデオキシ−１，５−イミノ−Ｄ−グルシトール；
Ｎ−（１−ブチルブチル）−１，５−ジデオキシ−１，５−イミノ−Ｄ−グルシトール；
Ｎ−（７−メチルオクチル）−１，５−ジデオキシ−１，５−イミノ−Ｄ−グルシトール；
Ｎ−（８−メチルノニル）−１，５−ジデオキシ−１，５−イミノ−Ｄ−グルシトール；
Ｎ−（９−メチルデシル）−１，５−ジデオキシ−１，５−イミノ−Ｄ−グルシトール；
Ｎ−（１０−メチルウンデシル）−１，５−ジデオキシ−１，５−イミノ−Ｄ−グルシトール；
Ｎ−（６−シクロヘキシルヘキシル）−１，５−ジデオキシ−１，５−イミノ−Ｄ−グルシトール；
Ｎ−（４−シクロヘキシルブチル）−１，５−ジデオキシ−１，５−イミノ−Ｄ−グルシトール；
Ｎ−（２−シクロヘキシルエチル）−１，５−ジデオキシ−１，５−イミノ−Ｄ−グルシトール；
Ｎ−（１−シクロヘキシルメチル）−１，５−ジデオキシ−１，５−イミノ−Ｄ−グルシトール；
Ｎ−（１−フェニルメチル）−１，５−ジデオキシ−１，５−イミノ−Ｄ−グルシトール；
Ｎ−（３−フェニルプロピル）−１，５−ジデオキシ−１，５−イミノ−Ｄ−グルシトール；
Ｎ−（３−（４−メチル）−フェニルプロピル）−１，５−ジデオキシ−１，５−イミノ−Ｄ−グルシトール；
Ｎ−（６−フェニルヘキシル）−１，５−ジデオキシ−１，５−イミノ−Ｄ−グルシトール；
Ｎ−（２−エチルヘキシル）−１，５−ジデオキシ−１，５−イミノ−Ｄ−グルシトール，テトラブチラート；
Ｎ−（４−エチルヘキシル）−１，５−ジデオキシ−１，５−イミノ−Ｄ−グルシトール，テトラブチラート；
Ｎ−（５−メチルヘキシル）−１，５−ジデオキシ−１，５−イミノ−Ｄ−グルシトール，テトラブチラート；
Ｎ−（３−プロピルヘキシル）−１，５−ジデオキシ−１，５−イミノ−Ｄ−グルシトール，テトラブチラート；
Ｎ−（１−ペンチルペンチルヘキシル）−１，５−ジデオキシ−１，５−イミノ−Ｄ−グルシトール，テトラブチラート；
Ｎ−（１−ブチルブチル）−１，５−ジデオキシ−１，５−イミノ−Ｄ−グルシトール，テトラブチラート；
Ｎ−（７−メチルオクチル）−１，５−ジデオキシ−１，５−イミノ−Ｄ−グルシトール，テトラブチラート；
Ｎ−（８−メチルノニル）−１，５−ジデオキシ−１，５−イミノ−Ｄ−グルシトール，テトラブチラート；
Ｎ−（９−メチルデシル）−１，５−ジデオキシ−１，５−イミノ−Ｄ−グルシトール，テトラブチラート；
Ｎ−（１０−メチルウンデシル）−１，５−ジデオキシ−１，５−イミノ−Ｄ−グルシトール，テトラブチラート；
Ｎ−（６−シクロヘキシルヘキシル）−１，５−ジデオキシ−１，５−イミノ−Ｄ−グルシトール，テトラブチラート；
Ｎ−（４−シクロヘキシルブチル）−１，５−ジデオキシ−１，５−イミノ−Ｄ−グルシトール，テトラブチラート；
Ｎ−（２−シクロヘキシルエチル）−１，５−ジデオキシ−１，５−イミノ−Ｄ−グルシトール，テトラブチラート；
Ｎ−（１−シクロヘキシルメチル）−１，５−ジデオキシ−１，５−イミノ−Ｄ−グルシトール，テトラブチラート；
Ｎ−（１−フェニルメチル）−１，５−ジデオキシ−１，５−イミノ−Ｄ−グルシトール，テトラブチラート；
Ｎ−（３−フェニルプロピル）−１，５−ジデオキシ−１，５−イミノ−Ｄ−グルシトール，テトラブチラート；
Ｎ−（３−（４−メチル）−フェニルプロピル）−１，５−ジデオキシ−１，５−イミノ−Ｄ−グルシトール，テトラブチラート；
Ｎ−（６−フェニルヘキシル）−１，５−ジデオキシ−１，５−イミノ−Ｄ−グルシトール，テトラブチラート；
Ｎ−（７−オキサ−ｎ−デシル）−１，５−ジデオキシ−１，５−イミノ−Ｄ−グルシトール；
Ｎ−（７−オキサ−ｎ−デシル）−１，５−ジデオキシ−１，５−イミノ−Ｄ−グルシトール，テトラブチラート；
Ｎ−（７−オキサ−ｎ−デシル）−１，５−ジデオキシ−１，５−イミノ−Ｄ−グルシトール，テトラアセテート；
Ｎ−（３−オキサ−ｎ−デシル）−１，５−ジデオキシ−１，５−イミノ−Ｄ−グルシトール；
Ｎ−（９−オキサ−ｎ−デシル）−１，５−ジデオキシ−１，５−イミノ−Ｄ−グルシトール；
Ｎ−（７−オキサ−ｎ−ノニル）−１，５−ジデオキシ−１，５−イミノ−Ｄ−グルシトール；
Ｎ−（３−オキサ−ｎ−ノニル）−１，５−ジデオキシ−１，５−イミノ−Ｄ−グルシトール，テトラアセテート；
Ｎ−（３−オキサ−ｎ−ノニル）−１，５−ジデオキシ−１，５−イミノ−Ｄ−グルシトール；および
Ｎ−（７，１０，１３−トリオキサ−ｎ−テトラデシル）−１，５−ジデオキシ−１，５−イミノ−Ｄ−グルシトール。
【請求項７４】  酸性部分を有するヌクレオシドが式ＩＩ、ＩＩＩ、ＩＶ、ＶおよびＶＩの化合物よりなる群から選択される、請求項６７記載の塩。
【請求項７５】  ヌクレオチドが式ＩＩ、ＩＩＩ、ＩＶ、ＶおよびＶＩの化合物よりなる群から選択される、請求項６７記載の塩。
【請求項７６】  ヌクレオチドが下記よりなる群から選択される、請求項７５記載の塩：
（−）−２’−デオキシ−３’−チオシチジン−５’−三リン酸（３ＴＣ）；
１−（２’−デオキシ−２’−フルオロ−ベータ−Ｄ−アラビノフラノシル）−５−ヨードシトシン三リン酸（ＦＩＡＣＴＰ）；
三リン酸アシクロビル（ＡＣＶＴＰ）；
Ｅ−５−（２−ブロモビニル）−２’−デオキシウリジン三リン酸；および
９−ベータ−Ｄ−アラビノフラノシル−９Ｈ−プリン−６−アミン−５’−一リン酸・一水和物（Ａｒａ−ＡＭＰ）。
【請求項７７】  Ｎ−置換−１，５−ジデオキシ−１，５−イミノ−Ｄ−グルシトール化合物がＮ−（ｎ−ノニル）−１，５−ジデオキシ−１，５−イミノ−Ｄ−グルシトールおよびＮ−（ｎ−ノニル）−１，５−ジデオキシ−１，５−イミノ−Ｄ−グルシトール，テトラブチラートよりなる群から選択され；かつ
ヌクレオチドが（−）−２’−デオキシ−３’−チオシチジン−５’−三リン酸である、
請求項６７記載の塩。
【請求項７８】  Ｎ−（ｎ−ノニル）−１，５−ジデオキシ−１，５−イミノ−Ｄ−グルシトールと（−）−２’−デオキシ−３’−チオシチジン−５’−三リン酸を塩形成条件下で反応させることを含む方法。
【請求項７９】  請求項７８記載の方法により形成された塩。